(57)【要約】  本発明の記録再生装置（１）は、ＡＶデータが記録されるＡＶ記録媒体（２６）と、ネットワークを介して記録再生装置（１）と接続されている他の装置との間でＡＶデータおよびＡＶデータに関する情報を送受信する送受信部（２１）と、ＡＶ記録媒体（２６）および他の装置に記録されている同一番組のＡＶデータである複数のＡＶデータを検索する検索部（２８）と、検索部（２８）により検索された複数のＡＶデータの画質の比較を行う比較部（２９）と、比較部（２９）による比較の結果に基づいて、複数のＡＶデータのうちの画質の低いＡＶデータの利用制限値を所定の値だけ減らし、かつ、複数のＡＶデータのうちの画質が高いＡＶデータの利用制限値を所定の値だけ増やすように、送受信部を介した利用制限値の移動を行わせる制限値制御部（３０）とを備える。
2009153994.tif 000002
【特許請求の範囲】
【請求項１】
番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータを記録および再生する記録再生装置であって、
ＡＶデータが記録されるＡＶ記録媒体と、
ネットワークを介して前記記録再生装置と接続されている他の装置との間でＡＶデータおよび前記ＡＶデータに関する情報を送受信する送受信部と、
前記ＡＶ記録媒体および前記他の装置に記録されている、同一番組のＡＶデータである複数のＡＶデータを検索する検索部と、
前記検索部により検索された複数のＡＶデータの画質の比較を行う比較部と、
前記比較部による比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、前記送受信部を介した利用制限値の移動を行わせる制限値制御部と
を備える記録再生装置。
【請求項２】
さらに、
前記ＡＶ記録媒体に記録されているＡＶデータの利用制限値が記録される属性情報記録媒体と、
前記属性情報記録媒体に記録されている前記利用制限値を管理する管理部とを備え、
前記制限値制御部は、前記同一番組のＡＶデータである、前記他の装置に記録されているＡＶデータおよび前記ＡＶ記録媒体に記録されているＡＶデータのうち、画質の低い方のＡＶデータの利用制限値を前記所定の値だけ減らし、かつ、画質が高い方のＡＶデータの利用制限値を前記所定の値だけ増やすように、前記管理部を制御し、かつ、前記他の装置に要求を行うことで、前記利用制限値の移動を行わせる
請求項１記載の記録再生装置。
【請求項３】
前記属性情報記録媒体には、前記利用制限値として、前記ＡＶ記録媒体に記録されているＡＶデータのコピー可能回数が記録され、
前記制限値制御部は、前記比較部による比較の結果、前記他の装置に記録されているＡＶデータの画質が、前記ＡＶ記録媒体に記録されているＡＶデータの画質よりも低い場合、前記他の装置に、前記検索部により検索されたＡＶデータのコピー可能回数の値から所定の値を減算する要求を行い、かつ、前記管理部に、前記所定の値を前記属性情報記録媒体に記録されているコピー可能回数に加算させる
請求項２記載の記録再生装置。
【請求項４】
前記属性情報記録媒体には、前記利用制限値として、前記ＡＶ記録媒体に記録されているＡＶデータのコピー可能回数が記録され、
前記制限値制御部は、前記比較部による比較の結果、前記他の装置に記録されているＡＶデータの画質が、前記ＡＶ記録媒体に記録されているＡＶデータの画質よりも高い場合、前記管理部に、前記属性情報記録媒体に記録されているコピー可能回数の値から所定の値を減算させ、かつ、前記他の装置に、前記所定の値を、前記検索部により検索されたＡＶデータのコピー可能回数の値に加算する要求を行う
請求項２記載の記録再生装置。
【請求項５】
前記記録再生装置は、前記他の装置を含め複数の装置と前記ネットワークを介して接続可能であり、
さらに、前記ＡＶ記録媒体に記録されているＡＶデータの利用制限値が記録される属性情報記録媒体と、
前記属性情報記録媒体に記録されている利用制限値を管理する管理部とを備え、
前記検索部は、前記同一番組のＡＶデータである複数のＡＶデータを、前記複数の装置のそれぞれに記録されているＡＶデータの中から検索し、
前記比較部は、前記検索部により検索された複数のＡＶデータの画質を比較することで、前記複数のＡＶデータの中で最も画質の高い最高画質ＡＶデータを特定し、
前記制限値制御部は、前記管理部に、前記属性情報記録媒体に記録されている利用制限値から所定の値を減算させ、かつ、前記比較部により特定された最高画質ＡＶデータを保持する装置であって、前記複数の装置の中の１つの装置に、前記所定の値を前記最高画質ＡＶデータの利用制限値に加算する要求を行う
請求項１記載の記録再生装置。
【請求項６】
さらに、前記比較部による比較の結果、最も画質が高いと判断されたＡＶデータを取得し再生する再生部を備える
請求項１記載の記録再生装置。
【請求項７】
前記記録再生装置は、前記他の装置を含め複数の装置と前記ネットワークを介して接続可能であり、
さらに、前記複数の装置のうちの、前記ＡＶ記録媒体に記録されているＡＶデータのコピーまたはコピー元であるＡＶデータが記録されている装置の識別情報を含む属性値テーブルが記録される属性情報記録媒体と、
前記送受信部により、前記ＡＶ記録媒体に記録されているＡＶデータが送信される場合、前記識別情報を前記属性情報記録媒体から読み出して、前記送受信部に、当該送信先の装置宛に前記識別情報を送信させる伝送制御部と
を備える請求項１記載の記録再生装置。
【請求項８】
さらに、前記ＡＶ記録媒体に記録されているＡＶデータの画質を示す情報を、前記ＡＶデータのコピーであって、前記他の装置に記録されているＡＶデータの画質を示す情報を含む属性値テーブルが記録される属性情報記録媒体と、
前記属性情報記録媒体に記録されている属性値テーブルを管理する管理部であって、前記送受信部が前記他の装置から受信する、前記他の装置に記録されているＡＶデータの画質を示す情報を用いて、前記属性値テーブルを更新する管理部とを備え、
前記比較部は、前記属性情報記録媒体に記録されている属性値テーブルを参照することで、前記複数のＡＶデータである、前記ＡＶ記録媒体に記録されているＡＶデータと、前記他の装置に記録されているＡＶデータとの間での画質の比較を行う
請求項１記載の記録再生装置。
【請求項９】
複数の記録再生装置がネットワークを介して互いに接続されている記録再生システムであって、
前記複数の記録再生装置のうちの少なくとも１つの記録再生装置は、
番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータが記録されるＡＶ記録媒体と、
ネットワークを介して前記記録再生装置と接続されている他の記録再生装置との間でＡＶデータおよび前記ＡＶデータに関する情報を送受信する送受信部と、
前記ＡＶ記録媒体および前記他の記録再生装置に記録されている、同一番組のＡＶデータである複数のＡＶデータを検索する検索部と、
前記検索部により検索された複数のＡＶデータの画質の比較を行う比較部と、
前記比較部による比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、前記送受信部を介した利用制限値の移動を行わせる制限値制御部と
を備える記録再生システム。
【請求項１０】
番組を構成する映像データおよび音声データの少なくとも一方を含むＡＶ（Ａｕｄｉｏ  ａｎｄ  Ｖｉｓｕａｌ）データに付された、所定の著作権保護方式に規定される利用制限値が付されたＡＶデータを記録および再生する記録再生装置により実行される利用制限値制御方法であって、
前記記録再生装置が備えるＡＶ記録媒体、および、前記記録再生装置とネットワークを介して接続された他の装置に記録されている、同一番組のＡＶデータである複数のＡＶデータを検索する検索ステップと、
前記検索ステップにおいて検索された複数のＡＶデータの画質の比較を行う比較ステップと、
前記比較ステップにおける比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、利用制限値の移動を行わせる制限値移動ステップと
を含む利用制限値制御方法。
【請求項１１】
番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータを記録および再生する記録再生装置を制御するプログラムであって、
前記記録再生装置が備えるＡＶ記録媒体、および、前記記録再生装置とネットワークを介して接続された他の装置に記録されている、同一番組のＡＶデータである複数のＡＶデータを検索する検索ステップと、
前記検索ステップにおいて検索された複数のＡＶデータの画質の比較を行う比較ステップと、
前記比較ステップにおける比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、利用制限値の移動を行わせる制限値移動ステップと
をコンピュータに実行させるためのプログラム。
【発明の詳細な説明】
【技術分野】
【０００１】
本発明は、コピー制御情報が付加されたＡＶ（Ａｕｄｉｏ  ａｎｄ  Ｖｉｓｕａｌ）データを記録及び再生する、記録再生装置及び記録再生システムに関する。
【背景技術】
【０００２】
近年、家庭内の記録再生装置等のＡＶ機器をネットワークで接続し、これらＡＶ機器間で各種コンテンツの共有を図る家庭内ネットワークが実現されつつある。【０００３】
また、ＡＶ機器で、新作の映画や有料放送のテレビ番組や音楽などのコピー制御情報が付加された著作権保護が必要なデータを扱う場合、当該ＡＶ機器に、著作権を保護する処理手段を設ける必要がある。著作権を保護するための有力な方法として、著作権保護を必要とするデータを暗号化してデータの利用に制限を加える方法がある。【０００４】
そのような著作権保護方式の例として、ＤＴＣＰ−ＩＰ（Ｄｉｇｉｔａｌ  Ｔｒａｎｓｍｉｓｓｉｏｎ  Ｃｏｐｙ  Ｐｒｏｔｅｃｔｉｏｎ  ｏｖｅｒ  Ｉｎｔｅｒｎｅｔ  Ｐｒｏｔｏｃｏｌ）方式が実用化されている。【０００５】
ＤＴＣＰ−ＩＰ方式においては、コピー制御情報として、「コピー可」（Ｃｏｐｙ  Ｆｒｅｅ）、「一世代コピー可」（Ｃｏｐｙ  Ｏｎｅ  Ｇｅｎｅｒａｔｉｏｎ）、「これ以上コピー不可」（Ｎｏ  Ｍｏｒｅ  Ｃｏｐｉｅｓ）、及び「コピー禁止」（Ｃｏｐｙ Ｎｅｖｅｒ）の４つのモードが規定されており、これらのコピー制御情報に基づいてコンテンツのコピーが制限されている。【０００６】
例えば、家庭内の記録再生装置が、放送もしくはインターネット配信等から、コピー制御情報が「一世代コピー可」の番組のＡＶデータを受信して記録した場合、記録したＡＶデータのコピー制御情報は「一世代コピー可」から「これ以上コピー不可」の状態に変更される。そのため、当該記録再生装置が記録したＡＶデータは移動のみ許され、他の記録再生装置にＡＶデータを記録する場合は、元のＡＶデータが削除されることになる。これにより、家庭内で複数のコピーを作成して利用することはできない。【０００７】
一方、著作権保護方式の中には、ＡＶデータのコピー制御情報としてコピー可能回数を設定し、設定したコピー可能回数を基にコピーの可否を管理する方式がある。このような著作権保護方式においては、許可されたコピー可能回数を上限として、家庭内で複数のコピーを作成して利用（当該ＡＶデータの再生および更なるコピーの作成等）することができる。【０００８】
例えば、特許文献１には、コピー可能回数が制限されているデジタルコンテンツを異なる機器間で適正にコピーまたは移動することができるデジタルコンテンツ再生システムに関する技術が開示されている。【０００９】
図１０を用いて、コピー可能回数が制限されているデジタルコンテンツを記録し、その記録したデジタルコンテンツを、コピー可能回数を上限に複数のコピーを作成して利用することができる従来の記録再生装置について説明する。【００１０】
図１０は、複数のコピーを作成して利用することのできる従来の記録再生装置が、家庭内ネットワークを介して、デジタルコンテンツを構成するＡＶデータをコピーする際に、ＡＶデータ及びコピー可能回数に関する情報を記録再生装置間で互いに送受信する様子を示す概念図である。【００１１】
図１０において、それぞれＨＤＤ（Ｈａｒｄ  Ｄｉｓｋ  Ｄｒｉｖｅ）レコーダである記録再生装置９１及び記録再生装置９２、ならびに携帯プレーヤである記録再生装置９３は、家庭内ネットワーク９５を介して相互に接続されている。【００１２】
これら各装置は、家庭内ネットワーク９５を介してＡＶデータをコピーすることができる。また、各装置は、ＡＶデータのコピーに際して、ＡＶデータのフォーマットを変換することができる機能を備えている。【００１３】
記録再生装置９１〜９３のそれぞれは、ＡＶデータ毎に各々のコピー可能回数を管理しており、ＡＶデータをコピーする度に、コピーしたＡＶデータのコピー可能回数の値を１減じる処理を行う。【００１４】
また、各記録再生装置９１〜９３は、自身が保持しているＡＶデータのコピー可能回数のみを、別の記録再生装置に移動させることができる。【００１５】
図１０に示す例においては、記録再生装置９１は、保持している録画番組Ａのコピー可能回数の値を「４」から「２」減じて「２」としている。さらに、記録再生装置９２は、記録再生装置９１が減じたコピー可能回数の値「２」を、記録再生装置９２の保持する録画番組Ａのコピー可能回数の値「０」に加算している。その結果、記録再生装置９２の保持する録画番組Ａのコピー可能回数の値は「２」となっている。【００１６】
また、ＡＶデータのコピーに際しては、コピー先の装置（記録再生装置）が備えている表示能力や記録能力に制限がある場合、圧縮符号化方式のフォーマットを変換してコピーすることが一般的に行われる。
【先行技術文献】
【特許文献】
【００１７】
【特許文献１】特開２００７−３１８６６９号公報
【発明の概要】
【発明が解決しようとする課題】
【００１８】
ここで、ＡＶデータがコピーされる場合、フォーマットが変換されることにより、コピー元よりも劣化した画質のＡＶデータが当該コピーにより得られる場合がある。つまり、複数の記録再生装置がネットワークを介して相互に接続された記録再生システムにおいて、同一番組のＡＶデータが複数存在し、かつ、その中に様々な画質のＡＶデータが混在する場合がある。【００１９】
このような状況において、ユーザが当該番組の視聴またはコピーなどをする場合、つまり、当該番組のＡＶデータが利用される場合、一般に、より高画質のＡＶデータが利用されることが望まれる。【００２０】
しかしながら、従来の記録再生装置では、自身が含まれる記録再生システム内に同一番組のＡＶデータが複数存在し、それらの画質が互いに異なる場合であっても、より画質の高いＡＶデータを有効に利用することができなかった。【００２１】
本発明は、互いに画質の異なる同一番組のＡＶデータが複数存在する場合に、画質のより高いＡＶデータを有効に利用することのできる記録再生装置および記録再生システムを提供することを目的とする。
【課題を解決するための手段】
【００２２】
上記課題を解決するために、本発明の記録再生装置は、番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータを記録および再生する記録再生装置であって、ＡＶデータが記録されるＡＶ記録媒体と、ネットワークを介して前記記録再生装置と接続されている他の装置との間でＡＶデータおよび前記ＡＶデータに関する情報を送受信する送受信部と、前記ＡＶ記録媒体および前記他の装置に記録されている、同一番組のＡＶデータである複数のＡＶデータを検索する検索部と、前記検索部により検索された複数のＡＶデータの画質の比較を行う比較部と、前記比較部による比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、前記送受信部を介した利用制限値の移動を行わせる制限値制御部とを備える。【００２３】
これにより、本発明の記録再生装置および他の装置を含むシステム内で、互いに画質の異なる同一番組のＡＶデータが複数存在する場合、それら複数のＡＶデータそれぞれの画質に応じて、それらの利用制限値を相互に融通することができる。【００２４】
例えば、その複数の中に含まれる画質の低いＡＶデータの利用制限値を、画質の高いＡＶデータの利用制限値として流用することができる。【００２５】
従って、本発明の記録再生装置によれば、画質のより高いＡＶデータを有効に利用することができる。【００２６】
また、本発明の記録再生装置はさらに、前記ＡＶ記録媒体に記録されているＡＶデータの利用制限値が記録される属性情報記録媒体と、前記属性情報記録媒体に記録されている前記利用制限値を管理する管理部とを備え、前記制限値制御部は、前記同一番組のＡＶデータである、前記他の装置に記録されているＡＶデータおよび前記ＡＶ記録媒体に記録されているＡＶデータのうち、画質の低い方のＡＶデータの利用制限値を前記所定の値だけ減らし、かつ、画質が高い方のＡＶデータの利用制限値を前記所定の値だけ増やすように、前記管理部を制御し、かつ、前記他の装置に要求を行うことで、前記利用制限値の移動を行わせるとしてもよい。【００２７】
また、前記属性情報記録媒体には、前記利用制限値として、前記ＡＶ記録媒体に記録されているＡＶデータのコピー可能回数が記録され、前記制限値制御部は、前記比較部による比較の結果、前記他の装置に記録されているＡＶデータの画質が、前記ＡＶ記録媒体に記録されているＡＶデータの画質よりも低い場合、前記他の装置に、前記検索部により検索されたＡＶデータのコピー可能回数の値から所定の値を減算する要求を行い、かつ、前記管理部に、前記所定の値を前記属性情報記録媒体に記録されているコピー可能回数に加算させるとしてもよい。【００２８】
また、前記属性情報記録媒体には、前記利用制限値として、前記ＡＶ記録媒体に記録されているＡＶデータのコピー可能回数が記録され、前記制限値制御部は、前記比較部による比較の結果、前記他の装置に記録されているＡＶデータの画質が、前記ＡＶ記録媒体に記録されているＡＶデータの画質よりも高い場合、前記管理部に、前記属性情報記録媒体に記録されているコピー可能回数の値から所定の値を減算させ、かつ、前記他の装置に、前記所定の値を、前記検索部により検索されたＡＶデータのコピー可能回数の値に加算する要求を行うとしてもよい。【００２９】
このように、本発明の記録再生装置は、他の装置との間で、利用制限値であるコピー可能回数を融通することができる。これにより、同一番組のＡＶデータである２つのＡＶデータのうち、画質の高い方のＡＶデータのコピー可能回数が「０」になった場合であっても、当該ＡＶデータのコピーが可能となる。【００３０】
また、前記記録再生装置は、前記他の装置を含め複数の装置と前記ネットワークを介して接続可能であり、さらに、前記ＡＶ記録媒体に記録されているＡＶデータの利用制限値が記録される属性情報記録媒体と、前記属性情報記録媒体に記録されている利用制限値を管理する管理部とを備え、前記検索部は、前記同一番組のＡＶデータである複数のＡＶデータを、前記複数の装置のそれぞれに記録されているＡＶデータの中から検索し、前記比較部は、前記検索部により検索された複数のＡＶデータの画質を比較することで、前記複数のＡＶデータの中で最も画質の高い最高画質ＡＶデータを特定し、前記制限値制御部は、前記管理部に、前記属性情報記録媒体に記録されている利用制限値から所定の値を減算させ、かつ、前記比較部により特定された最高画質ＡＶデータを保持する装置であって、前記複数の装置の中の１つの装置に、前記所定の値を前記最高画質ＡＶデータの利用制限値に加算する要求を行うとしてもよい。【００３１】
これにより、例えば、本発明の記録再生装置に記録されているＡＶデータを消去する場合、消去されるＡＶデータの利用制限値を、当該ＡＶデータのコピーである複数のＡＶデータの中で最も画質の高いＡＶデータに与えることができる。つまり、画質のより高いＡＶデータの有効な利用が可能となる。【００３２】
また、本発明の記録再生装置はさらに、前記比較部による比較の結果、最も画質が高いと判断されたＡＶデータを取得し再生する再生部を備えるとしてもよい。【００３３】
これにより、本発明の記録再生装置および他の装置を含むシステム内で、互いに画質の異なる同一番組のＡＶデータが複数存在する場合、最も画質のよいＡＶデータが選択され、再生される。【００３４】
また、前記記録再生装置は、前記他の装置を含め複数の装置と前記ネットワークを介して接続可能であり、さらに、前記複数の装置のうちの、前記ＡＶ記録媒体に記録されているＡＶデータのコピーまたはコピー元であるＡＶデータが記録されている装置の識別情報を含む属性値テーブルが記録される属性情報記録媒体と、前記送受信部により、前記ＡＶ記録媒体に記録されているＡＶデータが送信される場合、前記識別情報を前記属性情報記録媒体から読み出して、前記送受信部に、当該送信先の装置宛に前記識別情報を送信させる伝送制御部とを備えるとしてもよい。【００３５】
これにより、本発明の記録再生装置および当該複数の装置のそれぞれは、自身が保持しているＡＶデータのコピーまたはコピー元であるＡＶデータを検索する場合、効率的に検索処理を実行することができる。【００３６】
また、本発明の記録再生装置はさらに、前記ＡＶ記録媒体に記録されているＡＶデータの画質を示す情報、及び、前記ＡＶデータのコピーであって、前記他の装置に記録されているＡＶデータの画質を示す情報を含む属性値テーブルが記録される属性情報記録媒体と、前記属性情報記録媒体に記録されている属性値テーブルを管理する管理部であって、前記送受信部が前記他の装置から受信する、前記他の装置に記録されているＡＶデータの画質を示す情報を用いて、前記属性値テーブルを更新する管理部とを備え、前記比較部は、前記属性情報記録媒体に記録されている属性値テーブルを参照することで、前記複数のＡＶデータである、前記ＡＶ記録媒体に記録されているＡＶデータと、前記他の装置に記録されているＡＶデータとの間での画質の比較を行うとしてもよい。【００３７】
これにより、例えば、他の装置に記録されているＡＶデータの画質が変更された場合であっても、その変更を、本発明の記録再生装置が保持する属性値テーブルに反映させることができる。【００３８】
また、比較部は属性情報記録媒体に記録されている属性値テーブルを参照して画質比較処理を行うため、効率よくかつ正確な比較処理が実行される。【００３９】
また、本発明の記録再生システムは、少なくとも１つの本発明の記録再生装置を含む、複数の記録再生装置がネットワークを介して互いに接続されている記録再生システムとして実現される。【００４０】
また、本発明は、本発明の記録再生装置の特徴的な構成部の動作をステップとする利用制限値制御方法として実現したり、それらステップをコンピュータに実行させるためのプログラムとして実現したり、そのプログラムが記録された記録媒体として実現することもできる。そして、そのプログラムをインターネット等の伝送媒体又はＤＶＤ等の記録媒体を介して配信することもできる。
【発明の効果】
【００４１】
本発明の記録再生装置及び記録再生システムによれば、画質の異なる同一番組のＡＶデータが複数存在する場合に、より画質の高いＡＶデータを有効に利用することができる。【００４２】
（本願の技術的背景に関する情報）
２００８年６月２０日に出願された出願番号２００８−１６１３３１の日本出願の明細書、図面及び請求の範囲における開示は、その全体を参照により本願に取り込む。
【図面の簡単な説明】
【００４３】
【図１】図１は、本発明の実施の形態１の記録再生システムにおけるコピー可能回数の移動の一例を示す概要図である。
【図２】図２は、実施の形態１におけるコピー情報管理テーブルのデータ構成の一例を示す図である。
【図３】図３は、本発明の実施の形態１の記録再生装置の構成を示すブロック図である。
【図４】図４は、実施の形態１におけるＡＶデータの検索処理及びコピー可能回数の移動処理を示すフローチャートである。
【図５】図５は、実施の形態１におけるコピー可能回数移動処理の詳細を示すフローチャートである。
【図６】図６は、実施の形態１における、装置間でコピー可能回数を移動させる場合の移動元装置と移動先装置との間の通信シーケンスを示す図である。
【図７】図７は、実施の形態１における記録再生装置が、最高画質のＡＶデータにコピー可能回数の残数を付与する際の処理の流れの概要を示すフローチャートである。
【図８】図８は、本発明の実施の形態２における記録再生装置が、画質情報に基づいて選択したＡＶデータを再生する場合のデータの送受信を示す概要図である。
【図９】図９は、実施の形態２におけるＡＶデータの検索処理及び選択再生処理を示すフローチャートである。
【図１０】図１０は、従来の複数の記録再生装置がＡＶデータ及びコピー可能回数に関する情報を互いに送受信する様子を示す概念図である。
【発明を実施するための形態】
【００４４】
以下に、本発明を実施するための形態について、図面を参照して説明する。
【００４５】
（実施の形態１）
図１は、本発明の実施の形態１の記録再生システムにおけるコピー可能回数の移動の一例を示す概要図である。
【００４６】
具体的には、図１は、記録再生装置１が、記録再生装置２及び３、並びにメモリーカード４にコピーされた同一番組のＡＶデータを検索し、コピー可能回数を記録再生装置２から記録再生装置１に移動させる場合のデータの流れを示している。
【００４７】
なお、本発明の実施の形態１に係る記録再生装置１〜３のそれぞれは、番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータを記録および再生する装置である。
【００４８】
具体的には、記録再生装置１〜３のそれぞれは、利用制限値（ユーザの利用を制限する制限値）の１つであるコピー可能回数が定められているＡＶデータを記録および再生することができる。
【００４９】
図１に示すように、それぞれＨＤＤレコーダである記録再生装置１及び記録再生装置２、ならびに、携帯プレーヤである記録再生装置３は、家庭内ネットワーク５を介して相互に接続されている。
【００５０】
これら３つの装置は、この家庭内ネットワーク５を介してＡＶデータ（デジタルコンテンツ）をコピーすることができる。また、これら３つの装置は、ＡＶデータのコピーに際して、ＡＶデータのフォーマットを変換する機能を有している。
【００５１】
記録再生装置１は、デジタルチューナ（図示せず）、及びメモリーカード４のドライブなどを内蔵している。記録再生装置１は、デジタル放送の番組データ（ＡＶデータ）をデジタルチューナで受信して内蔵のＨＤＤ２６に記録し、ＨＤＤ２６に記録したコンテンツを、家庭内ネットワーク５を介して記録再生装置２及び記録再生装置３にコピーすることができる。
【００５２】
記録再生装置１はさらに、メモリーカード４に対してＨＤＤ２６に記録したＡＶデータ及びＡＶデータの属性情報を読み出し／書き込みをすることができる。
【００５３】
次に、図２を用いて、記録再生装置１〜３のそれぞれにおいて管理されるコピー情報の管理方法について説明する。
【００５４】
図２は、実施の形態１におけるコピー情報管理テーブル１０のデータ構成の一例を示す図である。
【００５５】
具体的には、図２は、記録再生装置１がコピー可能回数の管理に使用するコピー情報管理テーブル１０のデータ構成の一例を示している。
【００５６】
図２に示すように、コピー情報管理テーブル１０は、ＡＶデータの属性情報を管理するための属性情報管理テーブル１５の一部として管理さている。コピー情報管理テーブル１０は、データ項目として、ＡＶデータ識別情報１１、機器／媒体識別情報１２、およびコピー可能回数１３及び画質情報１４を有している。
【００５７】
また、図２では、「録画番組Ａ」に関するコピー情報管理テーブル１０の例を示している。コピー情報管理テーブル１０には、「録画番組Ａ」に対応するＡＶデータ識別情報１１（図２においては、ＡＶＩＤ１）、「録画番組Ａ」に対応するＡＶデータのコピー先情報である、記録再生装置または記録媒体の機器／媒体識別情報１２（図２においては、ＤＥＶＩＤ１〜ＤＥＶＩＤ４）、コピー可能回数１３（図２においては、コピー可能回数の値：０、５、０、１）及び画質情報１４（図２においては、ＨＤ／ＭＰＥＧ−ＴＳ、ＨＤ／Ｈ．２６４など）が格納されている。
【００５８】
なお、画質情報１４としては、画像の精細度を示す「ＨＤ」（高解像度）及び「ＳＤ」(標準解像度)と、画像圧縮符号化方式を示す「ＭＰＥＧ−ＴＳ」、「Ｈ．２６４」及び「ＭＰＥＧ４」などが格納される。なお、「ＨＤ」は「Ｈｉｇｈ  Ｄｅｆｉｎｉｔｉｏｎ」の略称であり、「ＳＤ」は「Ｓｔａｎｄａｒｄ  Ｄｅｆｉｎｉｔｉｏｎ」の略称である。
【００５９】
図２において、記録再生装置１（ＤＥＶＩＤ１）に記録されているＡＶデータは、デジタル放送された番組のＡＶデータをデジタルチューナで受信して、内蔵するＨＤＤ２６に録画された番組のＡＶデータであることを示す。
【００６０】
また、デジタル放送を受信して録画された「録画番組Ａ」は、例えば、著作権保護方式の一つであるダビング１０方式に対応した番組である場合は、録画終了時点では９回のコピーが許可されている。
【００６１】
しかし、すでに記録再生装置２、３及びメモリーカード４に合計３個（３回）のコピーが作成されているので、「録画番組Ａ」の残りのコピー可能回数は、記録再生装置２の５回とメモリーカード４の１回の合計６回のコピーを実行できることを示している。
【００６２】
なお、記録再生装置２が「録画番組Ａ」のコピー回数可能として「５」を有しているのは、記録再生装置１からコピー回数可能が移動されたからである。これら装置間のコピー回数可能の移動については、図４等を用いて後述する。
【００６３】
また、コピー可能回数「０」は、「これ以上コピー不可」の状態である。つまり、記録再生装置１では、「番組Ａ」のＡＶデータについては移動のみが可能な状態であることがわかる。
【００６４】
次に、図３を用いて、記録再生装置１（記録再生装置２及び３も同様）の構成について説明する。
【００６５】
図３は、本発明の実施の形態１の記録再生装置１の構成を示すブロック図である。
【００６６】
図３に示すように、実施の形態１の記録再生装置１は、送受信部２１、暗復号処理部２２、鍵交換処理部２３、認証処理部２４、伝送制御部２５、ＨＤＤ２６、メモリーカード４、属性情報管理部２７、検索制御部２８、及び再生部３１を備える。
【００６７】
このように構成された記録再生装置１における処理動作について、以下に説明する。
【００６８】
送受信部２１は、ネットワーク（例えば、図１に示す家庭内ネットワーク５）を介してＡＶデータを他の装置（例えば、図１に示す記録再生装置２または３）との間で送受信するデジタルインターフェースである。また、送受信部２１は、ネットワークに接続されている他の装置との間でコマンドやＡＶデータの属性情報などを送受信する。
【００６９】
暗復号処理部２２は、送受信部２１がＡＶデータを送信する際、ＨＤＤ２６またはメモリーカード４から読み出されたＡＶデータを暗号化する。この暗号化に用いられる暗復号鍵（Ｋｃ）は、鍵交換処理部２３から入力された交換鍵（Ｋｘ）、属性情報管理部２７から入力されたコピー制御情報を基に生成した暗号モード情報（Ｅ−ＥＭＩ）、及び鍵更新カウンタ値（Ｎｃ）が使用されて生成される。
【００７０】
暗号化されたＡＶデータはＡＶデータパケットに分割され、送受信部２１を介して送信される。
【００７１】
また、暗復号処理部２２は、送受信部２１がＡＶデータを受信した場合、当該ＡＶデータを復号化する。この復号化に用いられる暗復号鍵（Ｋｃ）は、鍵交換処理部２３から入力された交換鍵（Ｋｘ）、ＡＶデータパケットのヘッダに格納されている暗号モード情報（Ｅ−ＥＭＩ）及び鍵更新カウンタ値（Ｎｃ）が使用されて生成される。
【００７２】
暗復号処理部２２において復号化されたＡＶデータは、ＨＤＤ２６またはメモリーカード４に出力され書き込まれる。
【００７３】
鍵交換処理部２３は、送受信部２１がＡＶデータを送信する際、送信されるＡＶデータを暗号化するために使用する交換鍵（Ｋｘ）を生成する。鍵交換処理部２３はさらに生成した交換鍵（Ｋｘ）を、認証処理部２４から受信した認証鍵情報（Ｋａｕｔｈ）によって暗号化して暗復号処理部２２に出力する。
【００７４】
また、鍵交換処理部２３は、送受信部２１がＡＶデータを受信した場合、送受信部２１を介して入力された暗号化された交換鍵を、認証処理部２４から受信した認証鍵情報（Ｋａｕｔｈ）によって復号化する。鍵交換処理部２３はさらに、復号化した交換鍵（Ｋｘ）を暗復号処理部２２に出力する。
【００７５】
認証処理部２４は、送受信部２１を介して認証対象の記録再生装置と相互認証処理を行い、認証が成功すると、認証鍵情報（Ｋａｕｔｈ）を認証対象の記録再生装置と共有する。
【００７６】
伝送制御部２５は、記録再生装置１の各部を制御してＡＶデータの送受信処理を実行させる制御部である。伝送制御部２５は、コピー可能回数が０回である番組のＡＶデータが送信する場合は、ＡＶデータの送信完了後、送信したＡＶデータの削除処理を実行する。
【００７７】
また、伝送制御部２５は、コピー可能回数がＮ（Ｎ≧１）回である番組のＡＶデータを送信した場合は、属性情報管理部２７を制御して、ＨＤＤ２６のＡＶデータのコピー可能回数を１減じてＮ−１回に更新させる。
【００７８】
また、伝送制御部２５は、送受信部２１を介したＡＶデータの送受信処理時に、送受信する番組のＡＶデータに対応する属性情報管理テーブル１５（図２参照）も併せて送受信する。伝送制御部２５は、受信した属性情報管理テーブル１５を、受信した番組のＡＶデータと関連付けてＨＤＤ２６またはメモリーカード４に記録する。
【００７９】
ＨＤＤ２６またはメモリーカード４には、内蔵のデジタルチューナ（図示せず）から受信した番組のＡＶデータと、該ＡＶデータの属性情報を管理するための属性情報管理テーブルが関連付けられて記録されている。
【００８０】
ＨＤＤ２６またはメモリーカード４から読み出されたＡＶデータは暗復号処理部２２に、ＨＤＤ２６またはメモリーカード４から読み出された属性情報は属性情報管理部２７にそれぞれ出力される。また、ＨＤＤ２６またはメモリーカード４は、属性情報管理部２７から属性情報を受信して格納する。
【００８１】
属性情報管理部２７は、各ＡＶデータ（番組）に対応するコピー制御情報及び図２に示すコピー情報管理テーブル１０を含む属性情報管理テーブル１５を管理する。属性情報管理部２７は、伝送制御部２５または検索制御部２８により制御されて、ＨＤＤ２６またはメモリーカード４との間で属性情報管理テーブル１５の読み出し／書込みの処理動作を実行する。
【００８２】
なお、ＨＤＤ２６またはメモリーカード４から読み出された属性情報管理テーブル１５は、伝送制御部２５または検索制御部２８に出力される。
【００８３】
検索制御部２８は、記録再生装置１の各部を制御して、ＡＶデータの検索処理、画質比較処理及びコピー可能回数の移動処理などを実行する制御処理部である。
【００８４】
なお、画質比較処理は、検索制御部２８が有する画質比較部２９により実行される。また、コピー可能回数の移動処理は、検索制御部２８が有する制限値制御部３０により実行される。
【００８５】
検索制御部２８は、例えば、ＨＤＤ２６、および、メモリーカード４を含む複数の他の装置に記録されている、同一番組のＡＶデータである複数のＡＶデータを検索する。
【００８６】
具体的には、ＨＤＤ２６に記録されている番組ＡのＡＶデータがユーザから指定されると、属性情報管理テーブル１５に登録されている番組ＡのＡＶデータの機器／媒体識別情報１２（図２参照）を確認して検索処理を実行する。
【００８７】
検索制御部２８は、さらに、上記検索処理によって得られた、ＨＤＤ２６に記録されている番組ＡのＡＶデータの属性情報、及び他の装置が保持する番組ＡのＡＶデータの属性情報を参照してコピー可能回数移動処理の実行可否を判定する。
【００８８】
検索制御部２８は、この判定の結果に応じて他の装置からのコピー可能回数移動処理を実行する。コピー可能回数の移動処理においては、属性情報管理部２７を制御して、ＨＤＤ２６またはメモリーカード４に記録されている、番組ＡのＡＶデータのコピー可能回数の値に所定の値を加算する。
【００８９】
また、検索制御部２８は、送受信部２１を介して、他の装置から番組ＡのＡＶデータの検索要求を受信した場合、ＨＤＤ２６及びメモリーカード４に記録されている番組ＡのＡＶデータの属性情報を送信する。
【００９０】
また、検索制御部２８は、他の装置からコピー可能回数移動要求を受信した場合、コピー可能回数移動処理を実行し、属性情報管理部２７を制御して、ＨＤＤ２６またはメモリーカード４に記録されている、番組ＡのＡＶデータのコピー可能回数の値から所定の値を減算する。
【００９１】
次に、図４を用いて、番組ＡのＡＶデータの検索処理及びコピー可能回数の移動処理に関する処理の流れを説明する。
【００９２】
図４は、実施の形態１におけるＡＶデータの検索処理及びコピー可能回数の移動処理を示すフローチャートである。
【００９３】
以下、例えばユーザにより、ＨＤＤ２６に記録されている番組Ａのコピーを実行する指示が記録再生装置１になされた場合の、記録再生装置１の処理の基本的な流れを説明する。また、図２に示すように、記録再生装置１が有する、番組ＡのＡＶデータのコピー可能回数が「０」である場合を想定する。
【００９４】
また、番組ＡのＡＶデータ及び属性情報管理テーブル１５は、ＨＤＤ２６及びメモリーカード４のそれぞれに記録されている場合を想定する。この場合、ＨＤＤ２６及びメモリーカード４は、本発明の記録再生装置におけるＡＶ記録媒体及び属性情報記録媒体の一例である。
【００９５】
まず、検索制御部２８（図３参照）は、指定された番組ＡのＡＶデータに対応する属性情報をＨＤＤ２６、メモリーカード４、記録再生装置２および３から受信する（Ｓ１０１）。検索制御部２８はさらに、ＨＤＤ２６に記録されている番組ＡのＡＶデータの識別情報と、他の装置の番組ＡのＡＶデータの識別情報とが一致するか否かを判定する（Ｓ１０２）。
【００９６】
これら識別情報が一致しない場合（Ｓ１０２でＮＯ）は処理を終了させ、例えば、番組Ａのコピーが不可である旨を、図示しない表示装置に表示させる。また、これら識別情報が一致する場合（Ｓ１０２でＹＥＳ）は、さらに、当該他装置の番組ＡのＡＶデータのコピー可能回数の値が１以上であるか否かを確認する（Ｓ１０３）。
【００９７】
当該コピー可能回数の値が１以上でない場合（Ｓ１０３でＮＯ）は処理を終了させ、例えば、番組Ａのコピーが不可である旨を、図示しない表示装置に表示させる。
【００９８】
当該コピー可能回数の値が１以上の場合（Ｓ１０３でＹＥＳ）、画質比較部２９は、コピー情報管理テーブル１０（図２参照）の画質情報１４に基づいて、ＨＤＤ２６に記録されている番組ＡのＡＶデータの画質と、他の記録再生装置が保持している番組ＡのＡＶデータとの画質の比較処理を行う（Ｓ１０４）。
【００９９】
画質比較部２９は、この比較処理により、他の装置が保持している番組ＡのＡＶデータの画質が、ＨＤＤ２６に記録されている番組ＡのＡＶデータの画質よりも低いか否かを判定する（Ｓ１０５）。
【０１００】
他の装置が保持している番組ＡのＡＶデータの画質の方が高いと判定された場合（Ｓ１０５でＮＯ）は処理を終了する。この場合、例えば、当該ＡＶデータを保持する記録再生装置（２または３）で番組Ａのコピーが可能である旨を、図示しない表示装置に表示させる。
【０１０１】
また、他の記録再生装置が蓄積している番組ＡのＡＶデータの画質の方が低いと判定した場合（Ｓ１０５でＹＥＳ）、制限値制御部３０は、当該他の装置から自身（記録再生装置１）へのコピー可能回数の移動処理を実行する（Ｓ１０６）。
【０１０２】
以下に具体的な例を説明する。メモリーカード４及び記録再生装置１〜３のそれぞれが保持する番組ＡのＡＶデータの画質が、図２のコピー情報管理テーブルに示される画質である場合、つまり、記録再生装置２に蓄積されている番組ＡのＡＶデータの画質情報が「ＨＤ／Ｈ．２６４」であり、記録再生装置１のＨＤＤ２６に蓄積されている番組ＡのＡＶデータの画質情報が「ＨＤ／ＭＰＥＧ−ＴＳ」である場合を想定する。
【０１０３】
この場合、画質比較部２９は、記録再生装置２に蓄積されている番組ＡのＡＶデータの画質は、記録再生装置１のＨＤＤ２６に蓄積されている番組ＡのＡＶデータの画質よりもより劣ると判定する。
【０１０４】
制限値制御部３０は、この比較の結果に基づき、記録再生装置２に蓄積されている番組ＡのＡＶデータのコピー可能回数の値を、「５」から「５」を減算して「０（ゼロ）」とするよう、記録再生装置２に要求する。さらに、属性情報管理部２７を制御することで、記録再生装置１のＨＤＤ２６に蓄積されている番組ＡのＡＶデータのコピー可能回数の値を、「０」に「５」を加算して「５」とする。
【０１０５】
なお、この時、移動されるコピー可能回数の値の大きさは、「５」でなくてもよく、例えば「１」でもよい。つまり、移動可能な値であれば、特定の値に限定されない。
【０１０６】
次に、図５を用いて、コピー可能回数移動処理（図４におけるＳ１０６）に関する詳細な処理の流れを説明する。
【０１０７】
図５は、コピー可能回数移動処理の詳細を示すフローチャートである。
【０１０８】
記録再生装置１の認証処理部２４（図３参照）は、移動元である記録再生装置２に対して認証開始要求を送信して、認証／鍵交換処理を実行する（Ｓ２０１）。認証処理部２４はさらに、認証が成功したか否かを確認する（Ｓ２０２）。
【０１０９】
上記認証が失敗した場合（Ｓ２０２でＮＯ）、記録再生装置１の制限値制御部３０は処理を終了する。また、認証が成功した場合（Ｓ２０２でＹＥＳ）、制限値制御部３０は、送受信部２１を介して記録再生装置２に対してコピー可能回数移動要求を送信し（Ｓ２０３）、コピー可能回数の移動が可能か否かを確認する（Ｓ２０４）。
【０１１０】
記録再生装置１の制限値制御部３０は、さらに、要求が受諾されなかった場合（Ｓ２０４でＮＯ）は処理を終了さる。また、要求が受諾された場合（Ｓ２０４でＹＥＳ）は、コピー可能回数の加算処理を実行する（Ｓ２０５）。制限値制御部３０は、コピー可能回数の加算処理が終了すると、記録再生装置２に対してコピー回数移動終了要求を送信して（Ｓ２０６）、コピー可能回数移動処理を終了させる（Ｓ２０７）。
【０１１１】
次に、図６を用いて、装置間でコピー可能回数を移動させる場合の移動元装置（記録再生装置２）と移動先装置（記録再生装置１）との間の通信について説明する。
【０１１２】
図６は、装置間でコピー可能回数を移動させる場合の移動元装置と移動先装置との間の通信シーケンスを示す図である。
【０１１３】
まず、移動先装置（記録再生装置１）は、認証開始要求を移動元装置（記録再生装置２）に対して送信し（Ｓ３００）、認証／鍵交換を実行（Ｓ３０１）する。その後、移動先装置は、認証鍵情報を使用して生成したコピー可能回数移動要求を移動元装置に対して送信する（Ｓ３０２）。
【０１１４】
移動元装置は、移動先装置からのコピー可能回数移動要求に対応して、要求された番組ＡのＡＶデータのコピー可能回数の値を減算する（Ｓ３０３）。移動元装置は、その結果を、認証鍵情報を使用して生成したコピー可能回数移動応答に格納して、移動先装置に対して送信する（Ｓ３０４）。
【０１１５】
移動先装置は、移動元装置から受信したコピー可能回数移動応答により、移動元装置において番組ＡのＡＶデータのコピー可能回数の値が減算されたことを確認する。この確認後、移動先装置は、自装置の番組ＡのＡＶデータのコピー可能回数の値を加算し（Ｓ３０５）、コピー可能回数移動終了要求を移動元装置に対して送信する（Ｓ３０６）。
【０１１６】
移動元装置は、移動先装置からのコピー可能回数移動終了要求に対応して移動終了処理を実行する（Ｓ３０７）。移動元装置は、移動終了処理を実行すると、移動先装置に対してコピー可能回数移動終了応答を送信する（Ｓ３０８）。
【０１１７】
移動先装置は、移動元装置からのコピー可能回数移動終了応答を受けて、コピー可能回数移動終了処理を実行する（Ｓ３０９）。これにより、コピー可能回数の移動処理は終了する。
【０１１８】
以上のように、本発明の実施の形態１に係る記録再生装置１は、ＨＤＤ２６および前記他の装置に記録されている、同一番組のＡＶデータである複数のＡＶデータを検索する検索制御部２８と、検索制御部２８検索部により検索された複数のＡＶデータの画質の比較を行う画質比較部２９とを備える。
【０１１９】
また、記録再生装置１が備える制限値制御部３０は、画質比較部２９が比較した結果に基づいて、番組ＡのＡＶデータのコピー可能回数の移動処理を行う。これにより、画質の異なる複数の番組ＡのＡＶデータが存在する場合には、より画質の高い番組ＡのＡＶデータを優先的に利用できるように選択してコピー回数を移動させるようにすることができる。
【０１２０】
そのため、本発明の実施の形態１に係る記録再生装置１によれば、あるＡＶデータについて許諾されたコピー可能回数を有効に利用して当該ＡＶデータのコピーを行うことができる。
【０１２１】
すなわち、本発明の実施の形態１に係る記録再生装置は、同一番組の複数のＡＶデータの中から、用途に応じて画質の区分によりある一つのＡＶデータを選択し、そのコピーを行うことができる。
【０１２２】
また、本発明の実施の形態１に係る記録再生装置１は、ある番組のＡＶデータを他の装置にコピーする際に、そのＡＶデータとともに、当該他の装置以外のコピー先の装置またはコピー先の記録媒体の識別情報を含む属性情報も併せて送信してコピーする。そのため、当該他の装置が、当該番組のＡＶデータを検索する際に、効率的に検索処理を実行することができる。
【０１２３】
なお、本発明の実施の形態１において、記録再生装置１が、画質情報に基づき、他の装置に、当該他の装置に記録されている番組ＡのＡＶデータのコピー可能回数の値を所定の値だけ減算させ、自装置に記録されている番組ＡのＡＶデータのコピー可能回数に当該所定の値を加算することで、コピー可能回数の移動を実行する機能を示した。
【０１２４】
しかしながら、記録再生装置１は、画質情報に基づき自装置に記録されている番組ＡのＡＶデータのコピー可能回数の値から所定の値だけ減算し、他装置に記録されている番組ＡのＡＶデータのコピー可能回数に当該所定の値を加算させることで、コピー可能回数の移動を実行してもよい。また、画質情報に基づき他の装置間でコピー可能回数を移動させてもよい。
【０１２５】
また、本発明の実施の形態１において、記録再生装置１は、画質情報に基づき番組ＡのＡＶデータの、利用制限値であるコピー可能回数を移動させた。しかしながら、移動させる利用制限値はコピー可能回数に限るものではなく、例えば、再生可能回数や再生可能時間であってもよい。
【０１２６】
すなわち、請求の範囲に記載した「所定の著作権保護方式に規定される利用制限値」とは、コピー可能回数に限るものではなく、再生可能回数や再生可能時間など、所定の著作権保護方式において定められた、ユーザのＡＶデータの利用を制限する情報を意味する。
【０１２７】
また、本発明の実施の形態１において、画質情報としては、「ＨＤ」（高解像度）及び「ＳＤ」（標準解像度）の２種の画質情報を用いたが、これに限るものではない。例えば、総画素数、水平画素数及び垂直画素数などを画質情報として使用してもよく、さらに、データレートを使用してもよい。
【０１２８】
また、本発明の実施の形態１において、記録再生装置の間で利用制限値を移動する場合の動作を示したが、本発明はこれに限定されない。例えば、記録再生装置１内のＨＤＤ２６とメモリーカード４との間で、利用制限値を移動してもよい。
【０１２９】
また、記録再生装置１は、例えば、自身が保持するＡＶデータのコピーまたはコピー元である複数のＡＶデータのうち、最も画質の高いＡＶデータに、自身が保持するＡＶデータのコピー可能回数の一部または全てが付与されるように、コピー可能回数の移動を行ってもよい。
【０１３０】
例えば、記録再生装置１に記録されている番組ＡのＡＶデータを、ユーザの指示により削除する際、当該ＡＶデータに付されたコピー可能回数の残数が１以上である場合、その残数が、当該ＡＶデータのコピーの中で、最も画質が高いＡＶデータに付与されるように、コピー可能回数の移動を行ってもよい。
【０１３１】
図７は、最高画質のＡＶデータにコピー可能回数の残数を付与する際の、記録再生装置１の処理の流れの概要を示すフローチャートである。
【０１３２】
なお、記録再生装置１のＨＤＤに番組ＡのＡＶデータが記録されており、そのコピー可能回数が「１」である場合を想定し、以下の説明を行う。
【０１３３】
例えば、ＨＤＤ２６に記録されている番組ＡのＡＶデータの消去が記録再生装置１に指示されると、検索制御部２８は、番組ＡのＡＶデータに対応する属性情報を他の装置から受信する（Ｓ４０１）。検索制御部２８はさらに、ＨＤＤ２６に記録されている番組ＡのＡＶデータの識別情報と、他の装置の番組ＡのＡＶデータの識別情報とが一致するか否かを判定する（Ｓ４０２）。
【０１３４】
これら識別情報が一致しない場合（Ｓ４０２でＮＯ）は処理を終了させ、ＨＤＤ２６に記録されている番組ＡのＡＶデータの消去が実行される。
【０１３５】
また、ＨＤＤ２６に記録されている番組ＡのＡＶデータの識別情報に一致する識別情報が複数ある場合（Ｓ４０２でＹＥＳ）は、１以上の他の装置に、番組ＡのＡＶデータが複数記録されていることを意味する。
【０１３６】
そこで、画質比較部２９は、これら複数のＡＶデータの画質を相互に比較することで、これら複数のＡＶデータの中で、最も画質の高いＡＶデータを特定する（Ｓ４０４）。
【０１３７】
例えば、図２に示すように、記録再生装置２、記録再生装置３、およびメモリーカード４のそれぞれに、番組ＡのＡＶデータが記録されている場合、記録再生装置２に記録されている番組ＡのＡＶデータが最も高い画質である。
【０１３８】
制限値制御部３０は、画質比較部２９により特定された、記録再生装置２に記録されている番組ＡのＡＶデータに、ＨＤＤ２６に記録されている番組ＡのＡＶデータのコピー可能回数の残数である「１」が付与されるように、コピー可能回数の移動処理を行う（Ｓ４０５）。
【０１３９】
具体的には、制限値制御部３０は、属性情報管理部２７を制御することで、ＨＤＤ２６に記録されている番組ＡのＡＶデータのコピー可能回数を「１」から「０」に変更させる。つまり、当該コピー可能回数から「１」だけ減算する。
【０１４０】
さらに、制限値制御部３０は、送受信部２１を介して、記録再生装置２に、記録再生装置２に記録されている番組ＡのＡＶデータのコピー可能回数に「１」を加算する要求を行う。
【０１４１】
これにより、記録再生装置２に記録されている番組ＡのＡＶデータのコピー可能回数は１だけ増加する。
【０１４２】
これにより、番組ＡのＡＶデータがＨＤＤ２６から消去されることにより、従来であれば無効となる当該ＡＶデータの利用制限値は、記録再生システム全体として保持する、複数の番組ＡのＡＶデータのうちで最も画質の高いＡＶデータの利用制限値として有効に利用される。
【０１４３】
なお、識別情報の確認処理（Ｓ４０２）において、ＨＤＤ２６に記録されている番組ＡのＡＶデータの識別情報に一致する識別情報が１つのみである場合、その一致する識別情報に対応するＡＶデータに対するコピー可能回数の移動処理（Ｓ４０５）が行われる。つまり、画質比較処理（Ｓ４０３）、および、最高画質のＡＶデータの特定処理（Ｓ４０４）は行われない。
【０１４４】
（実施の形態２）
図８に示す本発明の実施の形態２における記録再生装置７１〜７３の主要な構成は、図３に示す本発明の実施の形態１における記録再生装置１〜３の構成と同様である。
【０１４５】
つまり、記録再生装置７１〜７３のそれぞれは、送受信部２１、暗復号処理部２２、鍵交換処理部２３、認証処理部２４、伝送制御部２５、ＨＤＤ２６、属性情報管理部２７、検索制御部２８、及び再生部３１を備える。
【０１４６】
本発明の実施の形態２に係る記録再生装置７１が、本発明の実施の形態１に係る記録再生装置１と異なる点は、検索制御部２８が、ある番組（仮に、番組Ｂとする）のＡＶデータを検索した後に、検索した複数の番組ＢのＡＶデータの中から、これらの画質情報に基づいて選択したＡＶデータの再生を実行する機能を有する点である。この特徴について以下にその詳細を説明する。
【０１４７】
図８は、本発明の実施の形態２における記録再生装置７１が、同一番組のＡＶデータの中から画質情報に基づいて選択したＡＶデータを再生する場合のネットワーク上のデータの送受信を示す概要図である。
【０１４８】
図８において、それぞれＨＤＤレコーダである記録再生装置７１及び記録再生装置７２ならびに、携帯プレーヤである記録再生装置７３は、家庭内ネットワーク７５を介して相互に接続されている。
【０１４９】
また、図８では、記録再生装置７２が、記録再生装置７１から番組ＢのＡＶデータを取得して再生することを示している。
【０１５０】
記録再生装置７２は、この処理を行う際、具体的には記録再生装置７１及び記録再生装置７３から、それぞれの装置において記録されている番組ＢのＡＶデータの属性情報を受信する。さらに、これら番組ＢのＡＶデータのうち、画質が高いと判断されるＡＶデータとして、記録再生装置７１のＨＤＤ２６（図３参照）に記録されている番組ＢのＡＶデータ（画質情報：ＨＤ／ＭＰＥＧ−ＴＳ）を選択する。記録再生装置７２は、選択した番組ＢのＡＶデータを、記録再生装置７１から家庭内ネットワーク７５経由で受信して再生する。
【０１５１】
次に、図９を用いて、本発明の実施の形態２に係る記録再生装置７２における検索処理及び選択再生処理について説明する。
【０１５２】
図９は、本発明の実施の形態２の記録再生装置７２におけるＡＶデータの検索処理及び選択再生処理を示すフローチャートである。
【０１５３】
記録再生装置７２の検索制御部２８は、自装置（記録再生装置７２）に記録されている番組ＢのＡＶデータの再生がユーザにより指示されると、属性情報管理部２７が管理している属性情報管理テーブル１５（図３参照）に登録されている番組ＢのＡＶデータの機器／媒体識別情報１２を確認して検索処理を実行する（Ｓ５０１）。
【０１５４】
具体的には、検索制御部２８は、自装置に記録されている番組ＢのＡＶデータに関する属性情報を含む属性情報管理テーブル１５を受信し、家庭内ネットワーク７５を介して記録再生装置７１及び７３から番組ＢのＡＶデータに関する属性情報を含む属性情報管理テーブル１５を受信する。
【０１５５】
記録再生装置７２の検索制御部２８は、さらに、受信した属性情報管理テーブル１５を参照して、自装置に記録されている番組ＢのＡＶデータ識別情報１１と、受信した属性情報管理テーブル１５に示されるＡＶデータ識別情報１１とが一致するか否かを確認する（Ｓ５０２）。
【０１５６】
この確認の結果、これらＡＶデータ識別情報１１が一致しない場合（Ｓ５０２でＮＯ）、再生部３１は、自装置に記憶されている番組ＢのＡＶデータの再生処理を行う（Ｓ５０５）。
【０１５７】
また、これらＡＶデータ識別情報１１が一致する場合（Ｓ５０２でＹＥＳ）、画質比較部２９は、受信された属性情報管理テーブル１５の画質情報１４を参照し、複数の番組ＢのＡＶデータの画質を比較して画質判定を行う（Ｓ５０３）。画質比較部２９は、画質判定の結果から、自装置の番組ＢのＡＶデータの画質が最高であるか否かを判断する（Ｓ５０４）。
【０１５８】
画質比較部２９により、自装置（記録再生装置７２）の番組ＢのＡＶデータの画質が最高であると判断された場合（Ｓ５０４でＹＥＳ）、再生部３１は、自装置の番組ＢのＡＶデータを、ＨＤＤ２６またはメモリーカード４から取得し、再生処理を行う（Ｓ５０５）。
【０１５９】
また、画質比較部２９により、他装置（記録再生装置７１または７３）の番組ＢのＡＶデータの画質が最も優れていると判断された場合（Ｓ５０４でＮＯ）、例えば、検索制御部２８が、画質が最高の番組ＢのＡＶデータを有している他装置に対して家庭内ネットワーク７５を介して番組ＢのＡＶデータの出力要求を送信する。
【０１６０】
この出力要求に応じて送信された番組ＢのＡＶデータは、例えば、家庭内ネットワーク７５および送受信部２１を介して再生部３１によって取得される。再生部３１は、取得したＡＶデータの再生処理を行う（Ｓ５０６）。
【０１６１】
以上のように、本発明の実施の形態２に係る記録再生装置７２は、検索した番組ＢのＡＶデータの画質を比較した結果に基づいて、最も画質のよい番組ＢのＡＶデータを選択して再生する。そのため、番組ＢのＡＶデータの複数のコピーが複数の装置に分散して記録されている場合でも、番組ＢのＡＶデータの中で最も優れた画質のＡＶデータを有効に利用することができる。
【０１６２】
なお、本発明の実施の形態２では、記録再生装置７２が、検索した番組ＢのＡＶデータの中から、画質情報に基づいて選択したＡＶデータを再生する例を示した。しかしながら、記録再生装置７２は、検索した番組ＢのＡＶデータの中から、画質情報に基づいて選択したＡＶデータを他の記録再生装置などにコピーまたは移動させるようにしてもよい。
【０１６３】
また、本発明の実施の形態２において、ＡＶデータ等の情報を記録するための記録媒体としてＨＤＤ２６及びメモリーカード４を例に挙げて説明したが、これらに限定するものではなく、例えば、光ディスクドライブを記録媒体として用いてもよい。
【産業上の利用可能性】
【０１６４】
本発明は、ＡＶデータをネットワーク経由で他の記録再生装置にコピーして共有する記録再生装置及び記録再生システム等として有用である。
【符号の説明】
【０１６５】
１、２、３、７１、７２、７３  記録再生装置
４  メモリーカード
５、７５  家庭内ネットワーク
１０  コピー情報管理テーブル
１１  ＡＶデータ識別情報
１２  機器／媒体識別情報
１３  コピー可能回数
１４  画質情報
１５  属性情報管理テーブル
２１  送受信部
２２  暗復号処理部
２３  鍵交換処理部
２４  認証処理部
２５  伝送制御部
２６  ＨＤＤ
２７  属性情報管理部
２８  検索制御部
２９  画質比較部
３０  制限値制御部
３１  再生部
【図１】
2009153994.tif 000003
【図２】
2009153994.tif 000004
【図３】
2009153994.tif 000005
【図４】
2009153994.tif 000006
【図５】
2009153994.tif 000007
【図６】
2009153994.tif 000008
【図７】
2009153994.tif 000009
【図８】
2009153994.tif 000010
【図９】
2009153994.tif 000011
【図１０】
2009153994.tif 000012
【手続補正書】
【提出日】平成22年2月17日(2010.2.17)
【手続補正１】
【補正対象書類名】明細書
【補正対象項目名】全文
【補正方法】変更
【補正の内容】
【発明の詳細な説明】
【技術分野】
【０００１】
本発明は、コピー制御情報が付加されたＡＶ（Ａｕｄｉｏ  ａｎｄ  Ｖｉｓｕａｌ）データを記録及び再生する、記録再生装置及び記録再生システムに関する。
【背景技術】
【０００２】
近年、家庭内の記録再生装置等のＡＶ機器をネットワークで接続し、これらＡＶ機器間で各種コンテンツの共有を図る家庭内ネットワークが実現されつつある。
【０００３】
また、ＡＶ機器で、新作の映画や有料放送のテレビ番組や音楽などのコピー制御情報が付加された著作権保護が必要なデータを扱う場合、当該ＡＶ機器に、著作権を保護する処理手段を設ける必要がある。著作権を保護するための有力な方法として、著作権保護を必要とするデータを暗号化してデータの利用に制限を加える方法がある。
【０００４】
そのような著作権保護方式の例として、ＤＴＣＰ−ＩＰ（Ｄｉｇｉｔａｌ  Ｔｒａｎｓｍｉｓｓｉｏｎ  Ｃｏｐｙ  Ｐｒｏｔｅｃｔｉｏｎ  ｏｖｅｒ  Ｉｎｔｅｒｎｅｔ  Ｐｒｏｔｏｃｏｌ）方式が実用化されている。
【０００５】
ＤＴＣＰ−ＩＰ方式においては、コピー制御情報として、「コピー可」（Ｃｏｐｙ  Ｆｒｅｅ）、「一世代コピー可」（Ｃｏｐｙ  Ｏｎｅ  Ｇｅｎｅｒａｔｉｏｎ）、「これ以上コピー不可」（Ｎｏ  Ｍｏｒｅ  Ｃｏｐｉｅｓ）、及び「コピー禁止」（Ｃｏｐｙ Ｎｅｖｅｒ）の４つのモードが規定されており、これらのコピー制御情報に基づいてコンテンツのコピーが制限されている。
【０００６】
例えば、家庭内の記録再生装置が、放送もしくはインターネット配信等から、コピー制御情報が「一世代コピー可」の番組のＡＶデータを受信して記録した場合、記録したＡＶデータのコピー制御情報は「一世代コピー可」から「これ以上コピー不可」の状態に変更される。そのため、当該記録再生装置が記録したＡＶデータは移動のみ許され、他の記録再生装置にＡＶデータを記録する場合は、元のＡＶデータが削除されることになる。これにより、家庭内で複数のコピーを作成して利用することはできない。
【０００７】
一方、著作権保護方式の中には、ＡＶデータのコピー制御情報としてコピー可能回数を設定し、設定したコピー可能回数を基にコピーの可否を管理する方式がある。このような著作権保護方式においては、許可されたコピー可能回数を上限として、家庭内で複数のコピーを作成して利用（当該ＡＶデータの再生および更なるコピーの作成等）することができる。
【０００８】
例えば、特許文献１には、コピー可能回数が制限されているデジタルコンテンツを異なる機器間で適正にコピーまたは移動することができるデジタルコンテンツ再生システムに関する技術が開示されている。
【０００９】
図１０を用いて、コピー可能回数が制限されているデジタルコンテンツを記録し、その記録したデジタルコンテンツを、コピー可能回数を上限に複数のコピーを作成して利用することができる従来の記録再生装置について説明する。
【００１０】
図１０は、複数のコピーを作成して利用することのできる従来の記録再生装置が、家庭内ネットワークを介して、デジタルコンテンツを構成するＡＶデータをコピーする際に、ＡＶデータ及びコピー可能回数に関する情報を記録再生装置間で互いに送受信する様子を示す概念図である。
【００１１】
図１０において、それぞれＨＤＤ（Ｈａｒｄ  Ｄｉｓｋ  Ｄｒｉｖｅ）レコーダである記録再生装置９１及び記録再生装置９２、ならびに携帯プレーヤである記録再生装置９３は、家庭内ネットワーク９５を介して相互に接続されている。
【００１２】
これら各装置は、家庭内ネットワーク９５を介してＡＶデータをコピーすることができる。また、各装置は、ＡＶデータのコピーに際して、ＡＶデータのフォーマットを変換することができる機能を備えている。
【００１３】
記録再生装置９１〜９３のそれぞれは、ＡＶデータ毎に各々のコピー可能回数を管理しており、ＡＶデータをコピーする度に、コピーしたＡＶデータのコピー可能回数の値を１減じる処理を行う。
【００１４】
また、各記録再生装置９１〜９３は、自身が保持しているＡＶデータのコピー可能回数のみを、別の記録再生装置に移動させることができる。
【００１５】
図１０に示す例においては、記録再生装置９１は、保持している録画番組Ａのコピー可能回数の値を「４」から「２」減じて「２」としている。さらに、記録再生装置９２は、記録再生装置９１が減じたコピー可能回数の値「２」を、記録再生装置９２の保持する録画番組Ａのコピー可能回数の値「０」に加算している。その結果、記録再生装置９２の保持する録画番組Ａのコピー可能回数の値は「２」となっている。
【００１６】
また、ＡＶデータのコピーに際しては、コピー先の装置（記録再生装置）が備えている表示能力や記録能力に制限がある場合、圧縮符号化方式のフォーマットを変換してコピーすることが一般的に行われる。
【先行技術文献】
【特許文献】
【００１７】
【特許文献１】特開２００７−３１８６６９号公報
【発明の概要】
【発明が解決しようとする課題】
【００１８】
ここで、ＡＶデータがコピーされる場合、フォーマットが変換されることにより、コピー元よりも劣化した画質のＡＶデータが当該コピーにより得られる場合がある。つまり、複数の記録再生装置がネットワークを介して相互に接続された記録再生システムにおいて、同一番組のＡＶデータが複数存在し、かつ、その中に様々な画質のＡＶデータが混在する場合がある。
【００１９】
このような状況において、ユーザが当該番組の視聴またはコピーなどをする場合、つまり、当該番組のＡＶデータが利用される場合、一般に、より高画質のＡＶデータが利用されることが望まれる。
【００２０】
しかしながら、従来の記録再生装置では、自身が含まれる記録再生システム内に同一番組のＡＶデータが複数存在し、それらの画質が互いに異なる場合であっても、より画質の高いＡＶデータを有効に利用することができなかった。
【００２１】
本発明は、互いに画質の異なる同一番組のＡＶデータが複数存在する場合に、画質のより高いＡＶデータを有効に利用することのできる記録再生装置および記録再生システムを提供することを目的とする。
【課題を解決するための手段】
【００２２】
上記課題を解決するために、本発明の記録再生装置は、番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータを記録および再生する記録再生装置であって、ＡＶデータが記録されるＡＶ記録媒体と、ネットワークを介して前記記録再生装置と接続されている他の装置との間でＡＶデータおよび前記ＡＶデータに関する情報を送受信する送受信部と、前記ＡＶ記録媒体および前記他の装置に記録されている、同一番組のＡＶデータである複数のＡＶデータを検索する検索部と、前記検索部により検索された複数のＡＶデータの画質の比較を行う比較部と、前記比較部による比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、前記送受信部を介した利用制限値の移動を行わせる制限値制御部とを備える。
【００２３】
これにより、本発明の記録再生装置および他の装置を含むシステム内で、互いに画質の異なる同一番組のＡＶデータが複数存在する場合、それら複数のＡＶデータそれぞれの画質に応じて、それらの利用制限値を相互に融通することができる。
【００２４】
例えば、その複数の中に含まれる画質の低いＡＶデータの利用制限値を、画質の高いＡＶデータの利用制限値として流用することができる。
【００２５】
従って、本発明の記録再生装置によれば、画質のより高いＡＶデータを有効に利用することができる。
【００２６】
また、本発明の記録再生装置はさらに、前記ＡＶ記録媒体に記録されているＡＶデータの利用制限値が記録される属性情報記録媒体と、前記属性情報記録媒体に記録されている前記利用制限値を管理する管理部とを備え、前記制限値制御部は、前記同一番組のＡＶデータである、前記他の装置に記録されているＡＶデータおよび前記ＡＶ記録媒体に記録されているＡＶデータのうち、画質の低い方のＡＶデータの利用制限値を前記所定の値だけ減らし、かつ、画質が高い方のＡＶデータの利用制限値を前記所定の値だけ増やすように、前記管理部を制御し、かつ、前記他の装置に要求を行うことで、前記利用制限値の移動を行わせるとしてもよい。
【００２７】
また、前記属性情報記録媒体には、前記利用制限値として、前記ＡＶ記録媒体に記録されているＡＶデータのコピー可能回数が記録され、前記制限値制御部は、前記比較部による比較の結果、前記他の装置に記録されているＡＶデータの画質が、前記ＡＶ記録媒体に記録されているＡＶデータの画質よりも低い場合、前記他の装置に、前記検索部により検索されたＡＶデータのコピー可能回数の値から所定の値を減算する要求を行い、かつ、前記管理部に、前記所定の値を前記属性情報記録媒体に記録されているコピー可能回数に加算させるとしてもよい。
【００２８】
また、前記属性情報記録媒体には、前記利用制限値として、前記ＡＶ記録媒体に記録されているＡＶデータのコピー可能回数が記録され、前記制限値制御部は、前記比較部による比較の結果、前記他の装置に記録されているＡＶデータの画質が、前記ＡＶ記録媒体に記録されているＡＶデータの画質よりも高い場合、前記管理部に、前記属性情報記録媒体に記録されているコピー可能回数の値から所定の値を減算させ、かつ、前記他の装置に、前記所定の値を、前記検索部により検索されたＡＶデータのコピー可能回数の値に加算する要求を行うとしてもよい。
【００２９】
このように、本発明の記録再生装置は、他の装置との間で、利用制限値であるコピー可能回数を融通することができる。これにより、同一番組のＡＶデータである２つのＡＶデータのうち、画質の高い方のＡＶデータのコピー可能回数が「０」になった場合であっても、当該ＡＶデータのコピーが可能となる。
【００３０】
また、前記記録再生装置は、前記他の装置を含め複数の装置と前記ネットワークを介して接続可能であり、さらに、前記ＡＶ記録媒体に記録されているＡＶデータの利用制限値が記録される属性情報記録媒体と、前記属性情報記録媒体に記録されている利用制限値を管理する管理部とを備え、前記検索部は、前記同一番組のＡＶデータである複数のＡＶデータを、前記複数の装置のそれぞれに記録されているＡＶデータの中から検索し、前記比較部は、前記検索部により検索された複数のＡＶデータの画質を比較することで、前記複数のＡＶデータの中で最も画質の高い最高画質ＡＶデータを特定し、前記制限値制御部は、前記管理部に、前記属性情報記録媒体に記録されている利用制限値から所定の値を減算させ、かつ、前記比較部により特定された最高画質ＡＶデータを保持する装置であって、前記複数の装置の中の１つの装置に、前記所定の値を前記最高画質ＡＶデータの利用制限値に加算する要求を行うとしてもよい。
【００３１】
これにより、例えば、本発明の記録再生装置に記録されているＡＶデータを消去する場合、消去されるＡＶデータの利用制限値を、当該ＡＶデータのコピーである複数のＡＶデータの中で最も画質の高いＡＶデータに与えることができる。つまり、画質のより高いＡＶデータの有効な利用が可能となる。
【００３２】
また、本発明の記録再生装置はさらに、前記比較部による比較の結果、最も画質が高いと判断されたＡＶデータを取得し再生する再生部を備えるとしてもよい。
【００３３】
これにより、本発明の記録再生装置および他の装置を含むシステム内で、互いに画質の異なる同一番組のＡＶデータが複数存在する場合、最も画質のよいＡＶデータが選択され、再生される。
【００３４】
また、前記記録再生装置は、前記他の装置を含め複数の装置と前記ネットワークを介して接続可能であり、さらに、前記複数の装置のうちの、前記ＡＶ記録媒体に記録されているＡＶデータのコピーまたはコピー元であるＡＶデータが記録されている装置の識別情報を含む属性値テーブルが記録される属性情報記録媒体と、前記送受信部により、前記ＡＶ記録媒体に記録されているＡＶデータが送信される場合、前記識別情報を前記属性情報記録媒体から読み出して、前記送受信部に、当該送信先の装置宛に前記識別情報を送信させる伝送制御部とを備えるとしてもよい。
【００３５】
これにより、本発明の記録再生装置および当該複数の装置のそれぞれは、自身が保持しているＡＶデータのコピーまたはコピー元であるＡＶデータを検索する場合、効率的に検索処理を実行することができる。
【００３６】
また、本発明の記録再生装置はさらに、前記ＡＶ記録媒体に記録されているＡＶデータの画質を示す情報、及び、前記ＡＶデータのコピーであって、前記他の装置に記録されているＡＶデータの画質を示す情報を含む属性値テーブルが記録される属性情報記録媒体と、前記属性情報記録媒体に記録されている属性値テーブルを管理する管理部であって、前記送受信部が前記他の装置から受信する、前記他の装置に記録されているＡＶデータの画質を示す情報を用いて、前記属性値テーブルを更新する管理部とを備え、前記比較部は、前記属性情報記録媒体に記録されている属性値テーブルを参照することで、前記複数のＡＶデータである、前記ＡＶ記録媒体に記録されているＡＶデータと、前記他の装置に記録されているＡＶデータとの間での画質の比較を行うとしてもよい。
【００３７】
これにより、例えば、他の装置に記録されているＡＶデータの画質が変更された場合であっても、その変更を、本発明の記録再生装置が保持する属性値テーブルに反映させることができる。
【００３８】
また、比較部は属性情報記録媒体に記録されている属性値テーブルを参照して画質比較処理を行うため、効率よくかつ正確な比較処理が実行される。
【００３９】
また、本発明の記録再生システムは、少なくとも１つの本発明の記録再生装置を含む、複数の記録再生装置がネットワークを介して互いに接続されている記録再生システムとして実現される。
【００４０】
また、本発明は、本発明の記録再生装置の特徴的な構成部の動作をステップとする利用制限値制御方法として実現したり、それらステップをコンピュータに実行させるためのプログラムとして実現したり、そのプログラムが記録された記録媒体として実現することもできる。そして、そのプログラムをインターネット等の伝送媒体又はＤＶＤ等の記録媒体を介して配信することもできる。
【発明の効果】
【００４１】
本発明の記録再生装置及び記録再生システムによれば、画質の異なる同一番組のＡＶデータが複数存在する場合に、より画質の高いＡＶデータを有効に利用することができる。
【図面の簡単な説明】
【００４２】
【図１】図１は、本発明の実施の形態１の記録再生システムにおけるコピー可能回数の移動の一例を示す概要図である。
【図２】図２は、実施の形態１におけるコピー情報管理テーブルのデータ構成の一例を示す図である。
【図３】図３は、本発明の実施の形態１の記録再生装置の構成を示すブロック図である。
【図４】図４は、実施の形態１におけるＡＶデータの検索処理及びコピー可能回数の移動処理を示すフローチャートである。
【図５】図５は、実施の形態１におけるコピー可能回数移動処理の詳細を示すフローチャートである。
【図６】図６は、実施の形態１における、装置間でコピー可能回数を移動させる場合の移動元装置と移動先装置との間の通信シーケンスを示す図である。
【図７】図７は、実施の形態１における記録再生装置が、最高画質のＡＶデータにコピー可能回数の残数を付与する際の処理の流れの概要を示すフローチャートである。
【図８】図８は、本発明の実施の形態２における記録再生装置が、画質情報に基づいて選択したＡＶデータを再生する場合のデータの送受信を示す概要図である。
【図９】図９は、実施の形態２におけるＡＶデータの検索処理及び選択再生処理を示すフローチャートである。
【図１０】図１０は、従来の複数の記録再生装置がＡＶデータ及びコピー可能回数に関する情報を互いに送受信する様子を示す概念図である。
【発明を実施するための形態】
【００４３】
以下に、本発明を実施するための形態について、図面を参照して説明する。
【００４４】
（実施の形態１）
図１は、本発明の実施の形態１の記録再生システムにおけるコピー可能回数の移動の一例を示す概要図である。
【００４５】
具体的には、図１は、記録再生装置１が、記録再生装置２及び３、並びにメモリーカード４にコピーされた同一番組のＡＶデータを検索し、コピー可能回数を記録再生装置２から記録再生装置１に移動させる場合のデータの流れを示している。
【００４６】
なお、本発明の実施の形態１に係る記録再生装置１〜３のそれぞれは、番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータを記録および再生する装置である。
【００４７】
具体的には、記録再生装置１〜３のそれぞれは、利用制限値（ユーザの利用を制限する制限値）の１つであるコピー可能回数が定められているＡＶデータを記録および再生することができる。
【００４８】
図１に示すように、それぞれＨＤＤレコーダである記録再生装置１及び記録再生装置２、ならびに、携帯プレーヤである記録再生装置３は、家庭内ネットワーク５を介して相互に接続されている。
【００４９】
これら３つの装置は、この家庭内ネットワーク５を介してＡＶデータ（デジタルコンテンツ）をコピーすることができる。また、これら３つの装置は、ＡＶデータのコピーに際して、ＡＶデータのフォーマットを変換する機能を有している。
【００５０】
記録再生装置１は、デジタルチューナ（図示せず）、及びメモリーカード４のドライブなどを内蔵している。記録再生装置１は、デジタル放送の番組データ（ＡＶデータ）をデジタルチューナで受信して内蔵のＨＤＤ２６に記録し、ＨＤＤ２６に記録したコンテンツを、家庭内ネットワーク５を介して記録再生装置２及び記録再生装置３にコピーすることができる。
【００５１】
記録再生装置１はさらに、メモリーカード４に対してＨＤＤ２６に記録したＡＶデータ及びＡＶデータの属性情報を読み出し／書き込みをすることができる。
【００５２】
次に、図２を用いて、記録再生装置１〜３のそれぞれにおいて管理されるコピー情報の管理方法について説明する。
【００５３】
図２は、実施の形態１におけるコピー情報管理テーブル１０のデータ構成の一例を示す図である。
【００５４】
具体的には、図２は、記録再生装置１がコピー可能回数の管理に使用するコピー情報管理テーブル１０のデータ構成の一例を示している。
【００５５】
図２に示すように、コピー情報管理テーブル１０は、ＡＶデータの属性情報を管理するための属性情報管理テーブル１５の一部として管理さている。コピー情報管理テーブル１０は、データ項目として、ＡＶデータ識別情報１１、機器／媒体識別情報１２、およびコピー可能回数１３及び画質情報１４を有している。
【００５６】
また、図２では、「録画番組Ａ」に関するコピー情報管理テーブル１０の例を示している。コピー情報管理テーブル１０には、「録画番組Ａ」に対応するＡＶデータ識別情報１１（図２においては、ＡＶＩＤ１）、「録画番組Ａ」に対応するＡＶデータのコピー先情報である、記録再生装置または記録媒体の機器／媒体識別情報１２（図２においては、ＤＥＶＩＤ１〜ＤＥＶＩＤ４）、コピー可能回数１３（図２においては、コピー可能回数の値：０、５、０、１）及び画質情報１４（図２においては、ＨＤ／ＭＰＥＧ−ＴＳ、ＨＤ／Ｈ．２６４など）が格納されている。
【００５７】
なお、画質情報１４としては、画像の精細度を示す「ＨＤ」（高解像度）及び「ＳＤ」(標準解像度)と、画像圧縮符号化方式を示す「ＭＰＥＧ−ＴＳ」、「Ｈ．２６４」及び「ＭＰＥＧ４」などが格納される。なお、「ＨＤ」は「Ｈｉｇｈ  Ｄｅｆｉｎｉｔｉｏｎ」の略称であり、「ＳＤ」は「Ｓｔａｎｄａｒｄ  Ｄｅｆｉｎｉｔｉｏｎ」の略称である。
【００５８】
図２において、記録再生装置１（ＤＥＶＩＤ１）に記録されているＡＶデータは、デジタル放送された番組のＡＶデータをデジタルチューナで受信して、内蔵するＨＤＤ２６に録画された番組のＡＶデータであることを示す。
【００５９】
また、デジタル放送を受信して録画された「録画番組Ａ」は、例えば、著作権保護方式の一つであるダビング１０方式に対応した番組である場合は、録画終了時点では９回のコピーが許可されている。
【００６０】
しかし、すでに記録再生装置２、３及びメモリーカード４に合計３個（３回）のコピーが作成されているので、「録画番組Ａ」の残りのコピー可能回数は、記録再生装置２の５回とメモリーカード４の１回の合計６回のコピーを実行できることを示している。
【００６１】
なお、記録再生装置２が「録画番組Ａ」のコピー回数可能として「５」を有しているのは、記録再生装置１からコピー回数可能が移動されたからである。これら装置間のコピー回数可能の移動については、図４等を用いて後述する。
【００６２】
また、コピー可能回数「０」は、「これ以上コピー不可」の状態である。つまり、記録再生装置１では、「番組Ａ」のＡＶデータについては移動のみが可能な状態であることがわかる。
【００６３】
次に、図３を用いて、記録再生装置１（記録再生装置２及び３も同様）の構成について説明する。
【００６４】
図３は、本発明の実施の形態１の記録再生装置１の構成を示すブロック図である。
【００６５】
図３に示すように、実施の形態１の記録再生装置１は、送受信部２１、暗復号処理部２２、鍵交換処理部２３、認証処理部２４、伝送制御部２５、ＨＤＤ２６、メモリーカード４、属性情報管理部２７、検索制御部２８、及び再生部３１を備える。
【００６６】
このように構成された記録再生装置１における処理動作について、以下に説明する。
【００６７】
送受信部２１は、ネットワーク（例えば、図１に示す家庭内ネットワーク５）を介してＡＶデータを他の装置（例えば、図１に示す記録再生装置２または３）との間で送受信するデジタルインターフェースである。また、送受信部２１は、ネットワークに接続されている他の装置との間でコマンドやＡＶデータの属性情報などを送受信する。
【００６８】
暗復号処理部２２は、送受信部２１がＡＶデータを送信する際、ＨＤＤ２６またはメモリーカード４から読み出されたＡＶデータを暗号化する。この暗号化に用いられる暗復号鍵（Ｋｃ）は、鍵交換処理部２３から入力された交換鍵（Ｋｘ）、属性情報管理部２７から入力されたコピー制御情報を基に生成した暗号モード情報（Ｅ−ＥＭＩ）、及び鍵更新カウンタ値（Ｎｃ）が使用されて生成される。
【００６９】
暗号化されたＡＶデータはＡＶデータパケットに分割され、送受信部２１を介して送信される。
【００７０】
また、暗復号処理部２２は、送受信部２１がＡＶデータを受信した場合、当該ＡＶデータを復号化する。この復号化に用いられる暗復号鍵（Ｋｃ）は、鍵交換処理部２３から入力された交換鍵（Ｋｘ）、ＡＶデータパケットのヘッダに格納されている暗号モード情報（Ｅ−ＥＭＩ）及び鍵更新カウンタ値（Ｎｃ）が使用されて生成される。
【００７１】
暗復号処理部２２において復号化されたＡＶデータは、ＨＤＤ２６またはメモリーカード４に出力され書き込まれる。
【００７２】
鍵交換処理部２３は、送受信部２１がＡＶデータを送信する際、送信されるＡＶデータを暗号化するために使用する交換鍵（Ｋｘ）を生成する。鍵交換処理部２３はさらに生成した交換鍵（Ｋｘ）を、認証処理部２４から受信した認証鍵情報（Ｋａｕｔｈ）によって暗号化して暗復号処理部２２に出力する。
【００７３】
また、鍵交換処理部２３は、送受信部２１がＡＶデータを受信した場合、送受信部２１を介して入力された暗号化された交換鍵を、認証処理部２４から受信した認証鍵情報（Ｋａｕｔｈ）によって復号化する。鍵交換処理部２３はさらに、復号化した交換鍵（Ｋｘ）を暗復号処理部２２に出力する。
【００７４】
認証処理部２４は、送受信部２１を介して認証対象の記録再生装置と相互認証処理を行い、認証が成功すると、認証鍵情報（Ｋａｕｔｈ）を認証対象の記録再生装置と共有する。
【００７５】
伝送制御部２５は、記録再生装置１の各部を制御してＡＶデータの送受信処理を実行させる制御部である。伝送制御部２５は、コピー可能回数が０回である番組のＡＶデータが送信する場合は、ＡＶデータの送信完了後、送信したＡＶデータの削除処理を実行する。
【００７６】
また、伝送制御部２５は、コピー可能回数がＮ（Ｎ≧１）回である番組のＡＶデータを送信した場合は、属性情報管理部２７を制御して、ＨＤＤ２６のＡＶデータのコピー可能回数を１減じてＮ−１回に更新させる。
【００７７】
また、伝送制御部２５は、送受信部２１を介したＡＶデータの送受信処理時に、送受信する番組のＡＶデータに対応する属性情報管理テーブル１５（図２参照）も併せて送受信する。伝送制御部２５は、受信した属性情報管理テーブル１５を、受信した番組のＡＶデータと関連付けてＨＤＤ２６またはメモリーカード４に記録する。
【００７８】
ＨＤＤ２６またはメモリーカード４には、内蔵のデジタルチューナ（図示せず）から受信した番組のＡＶデータと、該ＡＶデータの属性情報を管理するための属性情報管理テーブルが関連付けられて記録されている。
【００７９】
ＨＤＤ２６またはメモリーカード４から読み出されたＡＶデータは暗復号処理部２２に、ＨＤＤ２６またはメモリーカード４から読み出された属性情報は属性情報管理部２７にそれぞれ出力される。また、ＨＤＤ２６またはメモリーカード４は、属性情報管理部２７から属性情報を受信して格納する。
【００８０】
属性情報管理部２７は、各ＡＶデータ（番組）に対応するコピー制御情報及び図２に示すコピー情報管理テーブル１０を含む属性情報管理テーブル１５を管理する。属性情報管理部２７は、伝送制御部２５または検索制御部２８により制御されて、ＨＤＤ２６またはメモリーカード４との間で属性情報管理テーブル１５の読み出し／書込みの処理動作を実行する。
【００８１】
なお、ＨＤＤ２６またはメモリーカード４から読み出された属性情報管理テーブル１５は、伝送制御部２５または検索制御部２８に出力される。
【００８２】
検索制御部２８は、記録再生装置１の各部を制御して、ＡＶデータの検索処理、画質比較処理及びコピー可能回数の移動処理などを実行する制御処理部である。
【００８３】
なお、画質比較処理は、検索制御部２８が有する画質比較部２９により実行される。また、コピー可能回数の移動処理は、検索制御部２８が有する制限値制御部３０により実行される。
【００８４】
検索制御部２８は、例えば、ＨＤＤ２６、および、メモリーカード４を含む複数の他の装置に記録されている、同一番組のＡＶデータである複数のＡＶデータを検索する。
【００８５】
具体的には、ＨＤＤ２６に記録されている番組ＡのＡＶデータがユーザから指定されると、属性情報管理テーブル１５に登録されている番組ＡのＡＶデータの機器／媒体識別情報１２（図２参照）を確認して検索処理を実行する。
【００８６】
検索制御部２８は、さらに、上記検索処理によって得られた、ＨＤＤ２６に記録されている番組ＡのＡＶデータの属性情報、及び他の装置が保持する番組ＡのＡＶデータの属性情報を参照してコピー可能回数移動処理の実行可否を判定する。
【００８７】
検索制御部２８は、この判定の結果に応じて他の装置からのコピー可能回数移動処理を実行する。コピー可能回数の移動処理においては、属性情報管理部２７を制御して、ＨＤＤ２６またはメモリーカード４に記録されている、番組ＡのＡＶデータのコピー可能回数の値に所定の値を加算する。
【００８８】
また、検索制御部２８は、送受信部２１を介して、他の装置から番組ＡのＡＶデータの検索要求を受信した場合、ＨＤＤ２６及びメモリーカード４に記録されている番組ＡのＡＶデータの属性情報を送信する。
【００８９】
また、検索制御部２８は、他の装置からコピー可能回数移動要求を受信した場合、コピー可能回数移動処理を実行し、属性情報管理部２７を制御して、ＨＤＤ２６またはメモリーカード４に記録されている、番組ＡのＡＶデータのコピー可能回数の値から所定の値を減算する。
【００９０】
次に、図４を用いて、番組ＡのＡＶデータの検索処理及びコピー可能回数の移動処理に関する処理の流れを説明する。
【００９１】
図４は、実施の形態１におけるＡＶデータの検索処理及びコピー可能回数の移動処理を示すフローチャートである。
【００９２】
以下、例えばユーザにより、ＨＤＤ２６に記録されている番組Ａのコピーを実行する指示が記録再生装置１になされた場合の、記録再生装置１の処理の基本的な流れを説明する。また、図２に示すように、記録再生装置１が有する、番組ＡのＡＶデータのコピー可能回数が「０」である場合を想定する。
【００９３】
また、番組ＡのＡＶデータ及び属性情報管理テーブル１５は、ＨＤＤ２６及びメモリーカード４のそれぞれに記録されている場合を想定する。この場合、ＨＤＤ２６及びメモリーカード４は、本発明の記録再生装置におけるＡＶ記録媒体及び属性情報記録媒体の一例である。
【００９４】
まず、検索制御部２８（図３参照）は、指定された番組ＡのＡＶデータに対応する属性情報をＨＤＤ２６、メモリーカード４、記録再生装置２および３から受信する（Ｓ１０１）。検索制御部２８はさらに、ＨＤＤ２６に記録されている番組ＡのＡＶデータの識別情報と、他の装置の番組ＡのＡＶデータの識別情報とが一致するか否かを判定する（Ｓ１０２）。
【００９５】
これら識別情報が一致しない場合（Ｓ１０２でＮＯ）は処理を終了させ、例えば、番組Ａのコピーが不可である旨を、図示しない表示装置に表示させる。また、これら識別情報が一致する場合（Ｓ１０２でＹＥＳ）は、さらに、当該他装置の番組ＡのＡＶデータのコピー可能回数の値が１以上であるか否かを確認する（Ｓ１０３）。
【００９６】
当該コピー可能回数の値が１以上でない場合（Ｓ１０３でＮＯ）は処理を終了させ、例えば、番組Ａのコピーが不可である旨を、図示しない表示装置に表示させる。
【００９７】
当該コピー可能回数の値が１以上の場合（Ｓ１０３でＹＥＳ）、画質比較部２９は、コピー情報管理テーブル１０（図２参照）の画質情報１４に基づいて、ＨＤＤ２６に記録されている番組ＡのＡＶデータの画質と、他の記録再生装置が保持している番組ＡのＡＶデータとの画質の比較処理を行う（Ｓ１０４）。
【００９８】
画質比較部２９は、この比較処理により、他の装置が保持している番組ＡのＡＶデータの画質が、ＨＤＤ２６に記録されている番組ＡのＡＶデータの画質よりも低いか否かを判定する（Ｓ１０５）。
【００９９】
他の装置が保持している番組ＡのＡＶデータの画質の方が高いと判定された場合（Ｓ１０５でＮＯ）は処理を終了する。この場合、例えば、当該ＡＶデータを保持する記録再生装置（２または３）で番組Ａのコピーが可能である旨を、図示しない表示装置に表示させる。
【０１００】
また、他の記録再生装置が蓄積している番組ＡのＡＶデータの画質の方が低いと判定した場合（Ｓ１０５でＹＥＳ）、制限値制御部３０は、当該他の装置から自身（記録再生装置１）へのコピー可能回数の移動処理を実行する（Ｓ１０６）。
【０１０１】
以下に具体的な例を説明する。メモリーカード４及び記録再生装置１〜３のそれぞれが保持する番組ＡのＡＶデータの画質が、図２のコピー情報管理テーブルに示される画質である場合、つまり、記録再生装置２に蓄積されている番組ＡのＡＶデータの画質情報が「ＨＤ／Ｈ．２６４」であり、記録再生装置１のＨＤＤ２６に蓄積されている番組ＡのＡＶデータの画質情報が「ＨＤ／ＭＰＥＧ−ＴＳ」である場合を想定する。
【０１０２】
この場合、画質比較部２９は、記録再生装置２に蓄積されている番組ＡのＡＶデータの画質は、記録再生装置１のＨＤＤ２６に蓄積されている番組ＡのＡＶデータの画質よりもより劣ると判定する。
【０１０３】
制限値制御部３０は、この比較の結果に基づき、記録再生装置２に蓄積されている番組ＡのＡＶデータのコピー可能回数の値を、「５」から「５」を減算して「０（ゼロ）」とするよう、記録再生装置２に要求する。さらに、属性情報管理部２７を制御することで、記録再生装置１のＨＤＤ２６に蓄積されている番組ＡのＡＶデータのコピー可能回数の値を、「０」に「５」を加算して「５」とする。
【０１０４】
なお、この時、移動されるコピー可能回数の値の大きさは、「５」でなくてもよく、例えば「１」でもよい。つまり、移動可能な値であれば、特定の値に限定されない。
【０１０５】
次に、図５を用いて、コピー可能回数移動処理（図４におけるＳ１０６）に関する詳細な処理の流れを説明する。
【０１０６】
図５は、コピー可能回数移動処理の詳細を示すフローチャートである。
【０１０７】
記録再生装置１の認証処理部２４（図３参照）は、移動元である記録再生装置２に対して認証開始要求を送信して、認証／鍵交換処理を実行する（Ｓ２０１）。認証処理部２４はさらに、認証が成功したか否かを確認する（Ｓ２０２）。
【０１０８】
上記認証が失敗した場合（Ｓ２０２でＮＯ）、記録再生装置１の制限値制御部３０は処理を終了する。また、認証が成功した場合（Ｓ２０２でＹＥＳ）、制限値制御部３０は、送受信部２１を介して記録再生装置２に対してコピー可能回数移動要求を送信し（Ｓ２０３）、コピー可能回数の移動が可能か否かを確認する（Ｓ２０４）。
【０１０９】
記録再生装置１の制限値制御部３０は、さらに、要求が受諾されなかった場合（Ｓ２０４でＮＯ）は処理を終了さる。また、要求が受諾された場合（Ｓ２０４でＹＥＳ）は、コピー可能回数の加算処理を実行する（Ｓ２０５）。制限値制御部３０は、コピー可能回数の加算処理が終了すると、記録再生装置２に対してコピー回数移動終了要求を送信して（Ｓ２０６）、コピー可能回数移動処理を終了させる（Ｓ２０７）。
【０１１０】
次に、図６を用いて、装置間でコピー可能回数を移動させる場合の移動元装置（記録再生装置２）と移動先装置（記録再生装置１）との間の通信について説明する。
【０１１１】
図６は、装置間でコピー可能回数を移動させる場合の移動元装置と移動先装置との間の通信シーケンスを示す図である。
【０１１２】
まず、移動先装置（記録再生装置１）は、認証開始要求を移動元装置（記録再生装置２）に対して送信し（Ｓ３００）、認証／鍵交換を実行（Ｓ３０１）する。その後、移動先装置は、認証鍵情報を使用して生成したコピー可能回数移動要求を移動元装置に対して送信する（Ｓ３０２）。
【０１１３】
移動元装置は、移動先装置からのコピー可能回数移動要求に対応して、要求された番組ＡのＡＶデータのコピー可能回数の値を減算する（Ｓ３０３）。移動元装置は、その結果を、認証鍵情報を使用して生成したコピー可能回数移動応答に格納して、移動先装置に対して送信する（Ｓ３０４）。
【０１１４】
移動先装置は、移動元装置から受信したコピー可能回数移動応答により、移動元装置において番組ＡのＡＶデータのコピー可能回数の値が減算されたことを確認する。この確認後、移動先装置は、自装置の番組ＡのＡＶデータのコピー可能回数の値を加算し（Ｓ３０５）、コピー可能回数移動終了要求を移動元装置に対して送信する（Ｓ３０６）。
【０１１５】
移動元装置は、移動先装置からのコピー可能回数移動終了要求に対応して移動終了処理を実行する（Ｓ３０７）。移動元装置は、移動終了処理を実行すると、移動先装置に対してコピー可能回数移動終了応答を送信する（Ｓ３０８）。
【０１１６】
移動先装置は、移動元装置からのコピー可能回数移動終了応答を受けて、コピー可能回数移動終了処理を実行する（Ｓ３０９）。これにより、コピー可能回数の移動処理は終了する。
【０１１７】
以上のように、本発明の実施の形態１に係る記録再生装置１は、ＨＤＤ２６および前記他の装置に記録されている、同一番組のＡＶデータである複数のＡＶデータを検索する検索制御部２８と、検索制御部２８検索部により検索された複数のＡＶデータの画質の比較を行う画質比較部２９とを備える。
【０１１８】
また、記録再生装置１が備える制限値制御部３０は、画質比較部２９が比較した結果に基づいて、番組ＡのＡＶデータのコピー可能回数の移動処理を行う。これにより、画質の異なる複数の番組ＡのＡＶデータが存在する場合には、より画質の高い番組ＡのＡＶデータを優先的に利用できるように選択してコピー回数を移動させるようにすることができる。
【０１１９】
そのため、本発明の実施の形態１に係る記録再生装置１によれば、あるＡＶデータについて許諾されたコピー可能回数を有効に利用して当該ＡＶデータのコピーを行うことができる。
【０１２０】
すなわち、本発明の実施の形態１に係る記録再生装置は、同一番組の複数のＡＶデータの中から、用途に応じて画質の区分によりある一つのＡＶデータを選択し、そのコピーを行うことができる。
【０１２１】
また、本発明の実施の形態１に係る記録再生装置１は、ある番組のＡＶデータを他の装置にコピーする際に、そのＡＶデータとともに、当該他の装置以外のコピー先の装置またはコピー先の記録媒体の識別情報を含む属性情報も併せて送信してコピーする。そのため、当該他の装置が、当該番組のＡＶデータを検索する際に、効率的に検索処理を実行することができる。
【０１２２】
なお、本発明の実施の形態１において、記録再生装置１が、画質情報に基づき、他の装置に、当該他の装置に記録されている番組ＡのＡＶデータのコピー可能回数の値を所定の値だけ減算させ、自装置に記録されている番組ＡのＡＶデータのコピー可能回数に当該所定の値を加算することで、コピー可能回数の移動を実行する機能を示した。
【０１２３】
しかしながら、記録再生装置１は、画質情報に基づき自装置に記録されている番組ＡのＡＶデータのコピー可能回数の値から所定の値だけ減算し、他装置に記録されている番組ＡのＡＶデータのコピー可能回数に当該所定の値を加算させることで、コピー可能回数の移動を実行してもよい。また、画質情報に基づき他の装置間でコピー可能回数を移動させてもよい。
【０１２４】
また、本発明の実施の形態１において、記録再生装置１は、画質情報に基づき番組ＡのＡＶデータの、利用制限値であるコピー可能回数を移動させた。しかしながら、移動させる利用制限値はコピー可能回数に限るものではなく、例えば、再生可能回数や再生可能時間であってもよい。
【０１２５】
すなわち、請求の範囲に記載した「所定の著作権保護方式に規定される利用制限値」とは、コピー可能回数に限るものではなく、再生可能回数や再生可能時間など、所定の著作権保護方式において定められた、ユーザのＡＶデータの利用を制限する情報を意味する。
【０１２６】
また、本発明の実施の形態１において、画質情報としては、「ＨＤ」（高解像度）及び「ＳＤ」（標準解像度）の２種の画質情報を用いたが、これに限るものではない。例えば、総画素数、水平画素数及び垂直画素数などを画質情報として使用してもよく、さらに、データレートを使用してもよい。
【０１２７】
また、本発明の実施の形態１において、記録再生装置の間で利用制限値を移動する場合の動作を示したが、本発明はこれに限定されない。例えば、記録再生装置１内のＨＤＤ２６とメモリーカード４との間で、利用制限値を移動してもよい。
【０１２８】
また、記録再生装置１は、例えば、自身が保持するＡＶデータのコピーまたはコピー元である複数のＡＶデータのうち、最も画質の高いＡＶデータに、自身が保持するＡＶデータのコピー可能回数の一部または全てが付与されるように、コピー可能回数の移動を行ってもよい。
【０１２９】
例えば、記録再生装置１に記録されている番組ＡのＡＶデータを、ユーザの指示により削除する際、当該ＡＶデータに付されたコピー可能回数の残数が１以上である場合、その残数が、当該ＡＶデータのコピーの中で、最も画質が高いＡＶデータに付与されるように、コピー可能回数の移動を行ってもよい。
【０１３０】
図７は、最高画質のＡＶデータにコピー可能回数の残数を付与する際の、記録再生装置１の処理の流れの概要を示すフローチャートである。
【０１３１】
なお、記録再生装置１のＨＤＤに番組ＡのＡＶデータが記録されており、そのコピー可能回数が「１」である場合を想定し、以下の説明を行う。
【０１３２】
例えば、ＨＤＤ２６に記録されている番組ＡのＡＶデータの消去が記録再生装置１に指示されると、検索制御部２８は、番組ＡのＡＶデータに対応する属性情報を他の装置から受信する（Ｓ４０１）。検索制御部２８はさらに、ＨＤＤ２６に記録されている番組ＡのＡＶデータの識別情報と、他の装置の番組ＡのＡＶデータの識別情報とが一致するか否かを判定する（Ｓ４０２）。
【０１３３】
これら識別情報が一致しない場合（Ｓ４０２でＮＯ）は処理を終了させ、ＨＤＤ２６に記録されている番組ＡのＡＶデータの消去が実行される。
【０１３４】
また、ＨＤＤ２６に記録されている番組ＡのＡＶデータの識別情報に一致する識別情報が複数ある場合（Ｓ４０２でＹＥＳ）は、１以上の他の装置に、番組ＡのＡＶデータが複数記録されていることを意味する。
【０１３５】
そこで、画質比較部２９は、これら複数のＡＶデータの画質を相互に比較することで、これら複数のＡＶデータの中で、最も画質の高いＡＶデータを特定する（Ｓ４０４）。
【０１３６】
例えば、図２に示すように、記録再生装置２、記録再生装置３、およびメモリーカード４のそれぞれに、番組ＡのＡＶデータが記録されている場合、記録再生装置２に記録されている番組ＡのＡＶデータが最も高い画質である。
【０１３７】
制限値制御部３０は、画質比較部２９により特定された、記録再生装置２に記録されている番組ＡのＡＶデータに、ＨＤＤ２６に記録されている番組ＡのＡＶデータのコピー可能回数の残数である「１」が付与されるように、コピー可能回数の移動処理を行う（Ｓ４０５）。
【０１３８】
具体的には、制限値制御部３０は、属性情報管理部２７を制御することで、ＨＤＤ２６に記録されている番組ＡのＡＶデータのコピー可能回数を「１」から「０」に変更させる。つまり、当該コピー可能回数から「１」だけ減算する。
【０１３９】
さらに、制限値制御部３０は、送受信部２１を介して、記録再生装置２に、記録再生装置２に記録されている番組ＡのＡＶデータのコピー可能回数に「１」を加算する要求を行う。
【０１４０】
これにより、記録再生装置２に記録されている番組ＡのＡＶデータのコピー可能回数は１だけ増加する。
【０１４１】
これにより、番組ＡのＡＶデータがＨＤＤ２６から消去されることにより、従来であれば無効となる当該ＡＶデータの利用制限値は、記録再生システム全体として保持する、複数の番組ＡのＡＶデータのうちで最も画質の高いＡＶデータの利用制限値として有効に利用される。
【０１４２】
なお、識別情報の確認処理（Ｓ４０２）において、ＨＤＤ２６に記録されている番組ＡのＡＶデータの識別情報に一致する識別情報が１つのみである場合、その一致する識別情報に対応するＡＶデータに対するコピー可能回数の移動処理（Ｓ４０５）が行われる。つまり、画質比較処理（Ｓ４０３）、および、最高画質のＡＶデータの特定処理（Ｓ４０４）は行われない。
【０１４３】
（実施の形態２）
図８に示す本発明の実施の形態２における記録再生装置７１〜７３の主要な構成は、図３に示す本発明の実施の形態１における記録再生装置１〜３の構成と同様である。
【０１４４】
つまり、記録再生装置７１〜７３のそれぞれは、送受信部２１、暗復号処理部２２、鍵交換処理部２３、認証処理部２４、伝送制御部２５、ＨＤＤ２６、属性情報管理部２７、検索制御部２８、及び再生部３１を備える。
【０１４５】
本発明の実施の形態２に係る記録再生装置７１が、本発明の実施の形態１に係る記録再生装置１と異なる点は、検索制御部２８が、ある番組（仮に、番組Ｂとする）のＡＶデータを検索した後に、検索した複数の番組ＢのＡＶデータの中から、これらの画質情報に基づいて選択したＡＶデータの再生を実行する機能を有する点である。この特徴について以下にその詳細を説明する。
【０１４６】
図８は、本発明の実施の形態２における記録再生装置７１が、同一番組のＡＶデータの中から画質情報に基づいて選択したＡＶデータを再生する場合のネットワーク上のデータの送受信を示す概要図である。
【０１４７】
図８において、それぞれＨＤＤレコーダである記録再生装置７１及び記録再生装置７２ならびに、携帯プレーヤである記録再生装置７３は、家庭内ネットワーク７５を介して相互に接続されている。
【０１４８】
また、図８では、記録再生装置７２が、記録再生装置７１から番組ＢのＡＶデータを取得して再生することを示している。
【０１４９】
記録再生装置７２は、この処理を行う際、具体的には記録再生装置７１及び記録再生装置７３から、それぞれの装置において記録されている番組ＢのＡＶデータの属性情報を受信する。さらに、これら番組ＢのＡＶデータのうち、画質が高いと判断されるＡＶデータとして、記録再生装置７１のＨＤＤ２６（図３参照）に記録されている番組ＢのＡＶデータ（画質情報：ＨＤ／ＭＰＥＧ−ＴＳ）を選択する。記録再生装置７２は、選択した番組ＢのＡＶデータを、記録再生装置７１から家庭内ネットワーク７５経由で受信して再生する。
【０１５０】
次に、図９を用いて、本発明の実施の形態２に係る記録再生装置７２における検索処理及び選択再生処理について説明する。
【０１５１】
図９は、本発明の実施の形態２の記録再生装置７２におけるＡＶデータの検索処理及び選択再生処理を示すフローチャートである。
【０１５２】
記録再生装置７２の検索制御部２８は、自装置（記録再生装置７２）に記録されている番組ＢのＡＶデータの再生がユーザにより指示されると、属性情報管理部２７が管理している属性情報管理テーブル１５（図３参照）に登録されている番組ＢのＡＶデータの機器／媒体識別情報１２を確認して検索処理を実行する（Ｓ５０１）。
【０１５３】
具体的には、検索制御部２８は、自装置に記録されている番組ＢのＡＶデータに関する属性情報を含む属性情報管理テーブル１５を受信し、家庭内ネットワーク７５を介して記録再生装置７１及び７３から番組ＢのＡＶデータに関する属性情報を含む属性情報管理テーブル１５を受信する。
【０１５４】
記録再生装置７２の検索制御部２８は、さらに、受信した属性情報管理テーブル１５を参照して、自装置に記録されている番組ＢのＡＶデータ識別情報１１と、受信した属性情報管理テーブル１５に示されるＡＶデータ識別情報１１とが一致するか否かを確認する（Ｓ５０２）。
【０１５５】
この確認の結果、これらＡＶデータ識別情報１１が一致しない場合（Ｓ５０２でＮＯ）、再生部３１は、自装置に記憶されている番組ＢのＡＶデータの再生処理を行う（Ｓ５０５）。
【０１５６】
また、これらＡＶデータ識別情報１１が一致する場合（Ｓ５０２でＹＥＳ）、画質比較部２９は、受信された属性情報管理テーブル１５の画質情報１４を参照し、複数の番組ＢのＡＶデータの画質を比較して画質判定を行う（Ｓ５０３）。画質比較部２９は、画質判定の結果から、自装置の番組ＢのＡＶデータの画質が最高であるか否かを判断する（Ｓ５０４）。
【０１５７】
画質比較部２９により、自装置（記録再生装置７２）の番組ＢのＡＶデータの画質が最高であると判断された場合（Ｓ５０４でＹＥＳ）、再生部３１は、自装置の番組ＢのＡＶデータを、ＨＤＤ２６またはメモリーカード４から取得し、再生処理を行う（Ｓ５０５）。
【０１５８】
また、画質比較部２９により、他装置（記録再生装置７１または７３）の番組ＢのＡＶデータの画質が最も優れていると判断された場合（Ｓ５０４でＮＯ）、例えば、検索制御部２８が、画質が最高の番組ＢのＡＶデータを有している他装置に対して家庭内ネットワーク７５を介して番組ＢのＡＶデータの出力要求を送信する。
【０１５９】
この出力要求に応じて送信された番組ＢのＡＶデータは、例えば、家庭内ネットワーク７５および送受信部２１を介して再生部３１によって取得される。再生部３１は、取得したＡＶデータの再生処理を行う（Ｓ５０６）。
【０１６０】
以上のように、本発明の実施の形態２に係る記録再生装置７２は、検索した番組ＢのＡＶデータの画質を比較した結果に基づいて、最も画質のよい番組ＢのＡＶデータを選択して再生する。そのため、番組ＢのＡＶデータの複数のコピーが複数の装置に分散して記録されている場合でも、番組ＢのＡＶデータの中で最も優れた画質のＡＶデータを有効に利用することができる。
【０１６１】
なお、本発明の実施の形態２では、記録再生装置７２が、検索した番組ＢのＡＶデータの中から、画質情報に基づいて選択したＡＶデータを再生する例を示した。しかしながら、記録再生装置７２は、検索した番組ＢのＡＶデータの中から、画質情報に基づいて選択したＡＶデータを他の記録再生装置などにコピーまたは移動させるようにしてもよい。
【０１６２】
また、本発明の実施の形態２において、ＡＶデータ等の情報を記録するための記録媒体としてＨＤＤ２６及びメモリーカード４を例に挙げて説明したが、これらに限定するものではなく、例えば、光ディスクドライブを記録媒体として用いてもよい。
【産業上の利用可能性】
【０１６３】
本発明は、ＡＶデータをネットワーク経由で他の記録再生装置にコピーして共有する記録再生装置及び記録再生システム等として有用である。
【符号の説明】
【０１６４】
１、２、３、７１、７２、７３  記録再生装置
４  メモリーカード
５、７５  家庭内ネットワーク
１０  コピー情報管理テーブル
１１  ＡＶデータ識別情報
１２  機器／媒体識別情報
１３  コピー可能回数
１４  画質情報
１５  属性情報管理テーブル
２１  送受信部
２２  暗復号処理部
２３  鍵交換処理部
２４  認証処理部
２５  伝送制御部
２６  ＨＤＤ
２７  属性情報管理部
２８  検索制御部
２９  画質比較部
３０  制限値制御部
３１  再生部
【手続補正２】
【補正対象書類名】特許請求の範囲
【補正対象項目名】全文
【補正方法】変更
【補正の内容】
【特許請求の範囲】
【請求項１】
番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータを記録および再生する記録再生装置であって、
ＡＶデータが記録されるＡＶ記録媒体と、
ネットワークを介して前記記録再生装置と接続されている他の装置との間でＡＶデータおよび前記ＡＶデータに関する情報を送受信する送受信部と、
前記ＡＶ記録媒体および前記他の装置に記録されている、同一番組のＡＶデータである複数のＡＶデータを検索する検索部と、
前記検索部により検索された複数のＡＶデータの画質の比較を行う比較部と、
前記比較部による比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、前記送受信部を介した利用制限値の移動を行わせる制限値制御部と
を備える記録再生装置。
【請求項２】
さらに、
前記ＡＶ記録媒体に記録されているＡＶデータの利用制限値が記録される属性情報記録媒体と、
前記属性情報記録媒体に記録されている前記利用制限値を管理する管理部とを備え、
前記制限値制御部は、前記同一番組のＡＶデータである、前記他の装置に記録されているＡＶデータおよび前記ＡＶ記録媒体に記録されているＡＶデータのうち、画質の低い方のＡＶデータの利用制限値を前記所定の値だけ減らし、かつ、画質が高い方のＡＶデータの利用制限値を前記所定の値だけ増やすように、前記管理部を制御し、かつ、前記他の装置に要求を行うことで、前記利用制限値の移動を行わせる
請求項１記載の記録再生装置。
【請求項３】
前記属性情報記録媒体には、前記利用制限値として、前記ＡＶ記録媒体に記録されているＡＶデータのコピー可能回数が記録され、
前記制限値制御部は、前記比較部による比較の結果、前記他の装置に記録されているＡＶデータの画質が、前記ＡＶ記録媒体に記録されているＡＶデータの画質よりも低い場合、前記他の装置に、前記検索部により検索されたＡＶデータのコピー可能回数の値から所定の値を減算する要求を行い、かつ、前記管理部に、前記所定の値を前記属性情報記録媒体に記録されているコピー可能回数に加算させる
請求項２記載の記録再生装置。
【請求項４】
前記属性情報記録媒体には、前記利用制限値として、前記ＡＶ記録媒体に記録されているＡＶデータのコピー可能回数が記録され、
前記制限値制御部は、前記比較部による比較の結果、前記他の装置に記録されているＡＶデータの画質が、前記ＡＶ記録媒体に記録されているＡＶデータの画質よりも高い場合、前記管理部に、前記属性情報記録媒体に記録されているコピー可能回数の値から所定の値を減算させ、かつ、前記他の装置に、前記所定の値を、前記検索部により検索されたＡＶデータのコピー可能回数の値に加算する要求を行う
請求項２記載の記録再生装置。
【請求項５】
前記記録再生装置は、前記他の装置を含め複数の装置と前記ネットワークを介して接続可能であり、
さらに、前記ＡＶ記録媒体に記録されているＡＶデータの利用制限値が記録される属性情報記録媒体と、
前記属性情報記録媒体に記録されている利用制限値を管理する管理部とを備え、
前記検索部は、前記同一番組のＡＶデータである複数のＡＶデータを、前記複数の装置のそれぞれに記録されているＡＶデータの中から検索し、
前記比較部は、前記検索部により検索された複数のＡＶデータの画質を比較することで、前記複数のＡＶデータの中で最も画質の高い最高画質ＡＶデータを特定し、
前記制限値制御部は、前記管理部に、前記属性情報記録媒体に記録されている利用制限値から所定の値を減算させ、かつ、前記比較部により特定された最高画質ＡＶデータを保持する装置であって、前記複数の装置の中の１つの装置に、前記所定の値を前記最高画質ＡＶデータの利用制限値に加算する要求を行う
請求項１記載の記録再生装置。
【請求項６】
さらに、前記比較部による比較の結果、最も画質が高いと判断されたＡＶデータを取得し再生する再生部を備える
請求項１記載の記録再生装置。
【請求項７】
前記記録再生装置は、前記他の装置を含め複数の装置と前記ネットワークを介して接続可能であり、
さらに、前記複数の装置のうちの、前記ＡＶ記録媒体に記録されているＡＶデータのコピーまたはコピー元であるＡＶデータが記録されている装置の識別情報を含む属性値テーブルが記録される属性情報記録媒体と、
前記送受信部により、前記ＡＶ記録媒体に記録されているＡＶデータが送信される場合、前記識別情報を前記属性情報記録媒体から読み出して、前記送受信部に、当該送信先の装置宛に前記識別情報を送信させる伝送制御部と
を備える請求項１記載の記録再生装置。
【請求項８】
さらに、前記ＡＶ記録媒体に記録されているＡＶデータの画質を示す情報を、前記ＡＶデータのコピーであって、前記他の装置に記録されているＡＶデータの画質を示す情報を含む属性値テーブルが記録される属性情報記録媒体と、
前記属性情報記録媒体に記録されている属性値テーブルを管理する管理部であって、前記送受信部が前記他の装置から受信する、前記他の装置に記録されているＡＶデータの画質を示す情報を用いて、前記属性値テーブルを更新する管理部とを備え、
前記比較部は、前記属性情報記録媒体に記録されている属性値テーブルを参照することで、前記複数のＡＶデータである、前記ＡＶ記録媒体に記録されているＡＶデータと、前記他の装置に記録されているＡＶデータとの間での画質の比較を行う
請求項１記載の記録再生装置。
【請求項９】
複数の記録再生装置がネットワークを介して互いに接続されている記録再生システムであって、
前記複数の記録再生装置のうちの少なくとも１つの記録再生装置は、
番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータが記録されるＡＶ記録媒体と、
ネットワークを介して前記記録再生装置と接続されている他の記録再生装置との間でＡＶデータおよび前記ＡＶデータに関する情報を送受信する送受信部と、
前記ＡＶ記録媒体および前記他の記録再生装置に記録されている、同一番組のＡＶデータである複数のＡＶデータを検索する検索部と、
前記検索部により検索された複数のＡＶデータの画質の比較を行う比較部と、
前記比較部による比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、前記送受信部を介した利用制限値の移動を行わせる制限値制御部と
を備える記録再生システム。
【請求項１０】
番組を構成する映像データおよび音声データの少なくとも一方を含むＡＶ（Ａｕｄｉｏ  ａｎｄ  Ｖｉｓｕａｌ）データに付された、所定の著作権保護方式に規定される利用制限値が付されたＡＶデータを記録および再生する記録再生装置により実行される利用制限値制御方法であって、
前記記録再生装置が備えるＡＶ記録媒体、および、前記記録再生装置とネットワークを介して接続された他の装置に記録されている、同一番組のＡＶデータである複数のＡＶデータを検索する検索ステップと、
前記検索ステップにおいて検索された複数のＡＶデータの画質の比較を行う比較ステップと、
前記比較ステップにおける比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、利用制限値の移動を行わせる制限値移動ステップと
を含む利用制限値制御方法。
【請求項１１】
番組を構成する映像データおよび音声データの少なくとも一方を含むＡＶ（Ａｕｄｉｏ  ａｎｄ  Ｖｉｓｕａｌ）データであって、所定の著作権保護方式に規定される利用制限値が付されたＡＶデータを記録および再生する記録再生装置を制御するプログラムであって、
前記記録再生装置が備えるＡＶ記録媒体、および、前記記録再生装置とネットワークを介して接続された他の装置に記録されている、同一番組のＡＶデータである複数のＡＶデータを検索する検索ステップと、
前記検索ステップにおいて検索された複数のＡＶデータの画質の比較を行う比較ステップと、
前記比較ステップにおける比較の結果に基づいて、前記複数のＡＶデータのうちの画質の低いＡＶデータの利用制限値を所定の値だけ減らし、かつ、前記複数のＡＶデータのうちの画質が高いＡＶデータの利用制限値を前記所定の値だけ増やすように、利用制限値の移動を行わせる制限値移動ステップと
をコンピュータに実行させるためのプログラム。
【手続補正３】
【補正対象書類名】図面
【補正対象項目名】全図
【補正方法】変更
【補正の内容】
【図１】
2009153994.tif 000013
【図２】
2009153994.tif 000014
【図３】
2009153994.tif 000015
【図４】
2009153994.tif 000016
【図５】
2009153994.tif 000017
【図６】
2009153994.tif 000018
【図７】
2009153994.tif 000019
【図８】
2009153994.tif 000020
【図９】
2009153994.tif 000021
【図１０】
2009153994.tif 000022
【国際調査報告】
2009153994.tif 000023
2009153994.tif 000024